(57)【要約】  本発明の実施例は信号伝送方法、端末装置とネットワーク装置を開示し、該方法がネットワーク装置から送信されたビーム指示情報を受信し、該ビーム指示情報が、Ｎ個の信号を伝送するためのビームが同じであるか否かを示すことに用いられ、Ｎが１より大きい整数であることと、該ビーム指示情報に基づき、該ネットワーク装置と該Ｎ個の信号の伝送を行うこととを含む。本発明の実施例による方法、端末装置とネットワーク装置では、ビーム指示情報に基づいて複数の信号が同じビームを用いて伝送されるか否かを確定することにより、端末装置とネットワーク装置は各自で信号を送信又は受信するために用いる最適なビームを確定することができ、それによって後続の信号検出の性能が向上される。
2020504985.tif 000002
【特許請求の範囲】
【請求項１】
信号伝送方法であって、
ネットワーク装置から送信されたビーム指示情報を受信し、前記ビーム指示情報が、送信待ち又は受信待ちのＮ個の信号のためのビームが同じであるか否かを示すことに用いられ、Ｎが１より大きい整数であることと、
前記ビーム指示情報に基づき、前記ネットワーク装置と前記Ｎ個の信号の伝送を行うこととを含む、前記信号伝送方法。
【請求項２】
前記ビーム指示情報は前記ネットワーク装置が異なるビームを用いて端末装置へ前記Ｎ個の信号を送信することを示すことに用いられ、前記ビーム指示情報に基づき、前記ネットワーク装置と前記Ｎ個の信号の伝送を行うことは、
前記ビーム指示情報に基づき、前記Ｎ個の信号を受信することを含み、
前記方法はさらに、
前記ネットワーク装置へ第一の指示情報を送信することを含み、前記第一の指示情報が前記Ｎ個の信号のうちのＫ個の信号を示すことに用いられ、１≦Ｋ≦Ｎ、Ｋが整数であることを含むことを特徴とする
請求項１に記載の方法。
【請求項３】
前記ビーム指示情報は端末装置が異なるビームを用いて前記ネットワーク装置へ前記Ｎ個の信号を送信することを示すことに用いられ、前記ビーム指示情報に基づき、前記ネットワーク装置と前記Ｎ個の信号の伝送を行うことは、
前記ビーム指示情報に基づき、前記Ｎ個の信号を送信することを含み、
前記方法はさらに、
前記ネットワーク装置から送信された第二の指示情報を受信し、前記第二の指示情報が前記Ｎ個の信号のうちのＬ個の信号を示すことに用いられ、１≦Ｌ≦Ｎ、Ｌが整数であることを含むことを特徴とする
請求項１に記載の方法。
【請求項４】
前記ビーム指示情報に基づき、前記Ｎ個の信号を送信することは、
前記ビーム指示情報に基づき、異なるビームを用いて前記Ｎ個の信号を送信することを含み、
前記方法はさらに、
前記第二の指示情報に基づき、後続の信号の送信のためのビームを確定することを含むことを特徴とする
請求項３に記載の方法。
【請求項５】
前記ビーム指示情報は前記ネットワーク装置が同じビームを用いて端末装置へ前記Ｎ個の信号を送信することを示すことに用いられ、前記ビーム指示情報に基づき、前記ネットワーク装置と前記Ｎ個の信号の伝送を行うことは、
前記ビーム指示情報に基づき、異なるビームを用いて前記Ｎ個の信号を受信することを含み、
前記方法はさらに、
前記Ｎ個の信号の受信のためのビームから、後続の信号の受信のためのビームを確定することを含むことを特徴とする
請求項１に記載の方法。
【請求項６】
前記ビーム指示情報は端末装置が同じビームを用いて前記ネットワーク装置へ前記Ｎ個の信号を送信することを示すことに用いられ、前記ビーム指示情報に基づき、前記ネットワーク装置と前記Ｎ個の信号の伝送を行うことは、
前記ビーム指示情報に基づき、同じビームを用いて前記Ｎ個の信号を送信することを含むことを特徴とする
請求項１に記載の方法。
【請求項７】
前記Ｎ個の信号は異なる伝送リソースを用いて配置された同一の基準信号又は同一のチャネルであることを特徴とする
請求項１−６のいずれか一項に記載の方法。
【請求項８】
前記Ｎ個の信号は同一のメディアアクセス制御（ＭＡＣ）シグナリングでアクティブ化又は非アクティブ化された信号であり、又は前記Ｎ個の信号は同一のダウンリンク制御情報（ＤＣＩ）シグナリングによってトリガされた基準信号、又は同一のＤＣＩシグナリングでスケジューリングされたチャネルであることを特徴とする
請求項１−７のいずれか一項に記載の方法。
【請求項９】
前記ビーム指示情報は、ダウンリンク無線リソース制御（ＲＲＣ）シグナリング、ダウンリンクＭＡＣシグナリング、ＤＣＩシグナリング、ダウンリンク同期信号、ダウンリンクランダムアクセス信号とダウンリンクパイロット信号のうちの少なくとも一つに含まれることを特徴とする
請求項１−８のいずれか一項に記載の方法。
【請求項１０】
前記ＭＡＣシグナリングは前記Ｎ個の信号をアクティブ化又は非アクティブ化することに用いられ、及び／又は
前記Ｎ個の信号が基準信号である場合、前記ＤＣＩシグナリングは前記Ｎ個の信号をトリガすることに用いられ、
前記Ｎ個の信号がチャネルである場合、前記ＤＣＩシグナリングは前記Ｎ個の信号をスケジューリングすることに用いられることを特徴とする
請求項９に記載の方法。
【請求項１１】
前記ＲＲＣシグナリングはさらに前記Ｎ個の信号に対応する伝送リソース配置情報を搬送することに用いられ、前記ビーム指示情報に基づき、前記ネットワーク装置と前記Ｎ個の信号の伝送を行うことは、
前記ビーム指示情報と前記伝送リソース配置情報に基づき、前記ネットワーク装置と前記Ｎ個の信号の伝送を行うこととを含むことを特徴とする
請求項９に記載の方法。
【請求項１２】
前記ビーム指示情報は前記Ｎ個の信号のそれぞれに一対一で対応するビーム情報を含み、  前記Ｎ個の信号のうちの第一の信号と第二の信号のビーム情報に示される内容が同じである場合、前記第一の信号及び前記第二の信号の伝送のためのビームが同じであること、
前記Ｎ個の信号のうちの第三の信号と第四の信号のビーム情報に示される内容が異なる場合、前記第三の信号と前記第四の信号の伝送のためのビームが異なること、
前記Ｎ個の信号のうちの第五の信号と第六の信号のビーム情報がいずれも予め設定された第一の値である場合、前記第五の信号と前記第六の信号の伝送のためのビームが同じであること、
前記Ｎ個の信号のうちの第七の信号と第八の信号のビーム情報がいずれも予め設定された第二の値である場合、前記第七の信号と前記第八の信号の伝送のためのビームが異なり、前記第一の値と前記第二の値が異なること、
前記Ｎ個の信号のうちの第九の信号のビーム情報に示される内容が前記Ｎ個の信号のうちの第十の信号のインデックスを含む場合、前記第九の信号と前記第十の信号の伝送のためのビームが同じであること、
前記Ｎ個の信号のうちの第十一の信号のビーム情報に示される内容が前記Ｎ個の信号のうちの第十二の信号のインデックスを含む場合、前記十一の信号及び前記第十二の信号の伝送のためのビームが異なること、
のうちの少なくとも一つにより、前記ビーム指示情報が前記Ｎ個の信号のためのビームが同じであるかどうかを示すことを特徴とする
請求項１−１１のいずれか一項に記載の方法。
【請求項１３】
前記Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、同期信号、物理ブロードキャストチャネル（ＰＢＣＨ）、復調基準信号（ＤＭＲＳ）とビーム専用基準信号（ＢＴＳ）のうちの少なくとも一つであることを特徴とする
請求項１−１２のいずれか一項に記載の方法。
【請求項１４】
信号伝送方法であって、
端末装置へビーム指示情報を送信し、前記ビーム指示情報が、送信待ち又は受信待ちのＮ個の信号のためのビームが同じであるか否かを示すことに用いられ、Ｎが１より大きい整数であることと、
前記端末装置と前記Ｎ個の信号の伝送を行うこととを含む、前記信号伝送方法。
【請求項１５】
前記ビーム指示情報はネットワーク装置が異なるビームを用いて前記端末装置へ前記Ｎ個の信号を送信することを示すことに用いられ、
前記端末装置と前記Ｎ個の信号の伝送を行うことは、
前記Ｎ個の信号を送信することを含み、
前記方法はさらに、
前記端末装置から送信された第一の指示情報を受信し、前記第一の指示情報が前記Ｎ個の信号のうちのＫ個の信号を示すことに用いられ、１≦Ｋ≦Ｎ、Ｋが整数であることを含むことを特徴とする
請求項１４に記載の方法。
【請求項１６】
前記Ｎ個の信号を送信することは、
異なるビームを用いて前記Ｎ個の信号を送信することを含み、
前記方法はさらに、
前記第一の指示情報に基づき、後続の信号の送信のためのビームを確定することを含むことを特徴とする
請求項１５に記載の方法。
【請求項１７】
前記ビーム指示情報は前記端末装置が異なるビームを用いてネットワーク装置へ前記Ｎ個の信号を送信することを示すことに用いられ、
前記端末装置と前記Ｎ個の信号の伝送を行うことは、
前記Ｎ個の信号を受信することを含み、
前記方法はさらに、
前記端末装置へ第二の指示情報を送信し、前記第二の指示情報が前記Ｎ個の信号のうちのＬ個の信号を示すことに用いられ、１≦Ｌ≦Ｎ、Ｌが整数であることを含むことを特徴とする
請求項１４に記載の方法。
【請求項１８】
前記ビーム指示情報はネットワーク装置が同じビームを用いて前記端末装置へ前記Ｎ個の信号を送信することを示すことに用いられ、
前記端末装置と前記Ｎ個の信号の伝送を行うことは、
同じビームを用いて前記Ｎ個の信号を送信することを含むことを特徴とする
請求項１４に記載の方法。
【請求項１９】
前記ビーム指示情報は前記端末装置が同じビームを用いてネットワーク装置へ前記Ｎ個の信号を送信することを示すことに用いられ、
前記端末装置と前記Ｎ個の信号の伝送を行うことは、
異なるビームを用いて該Ｎ個の信号を受信することを含み、
前記方法はさらに、
前記Ｎ個の信号の受信のためのビームから、後続の信号の受信のためのビームを確定することを含むことを特徴とする
請求項１４に記載の方法。
【請求項２０】
前記Ｎ個の信号は異なる伝送リソースを用いて配置された同一の基準信号又は同一のチャネルであることを特徴とする
請求項１４−１９のいずれか一項に記載の方法。
【請求項２１】
前記Ｎ個の信号は同一のメディアアクセス制御（ＭＡＣ）シグナリングでアクティブ化又は非アクティブ化された信号であり、又は前記Ｎ個の信号は同一のダウンリンク制御情報（ＤＣＩ）シグナリングによってトリガされた基準信号、又は同一のＤＣＩシグナリングでスケジューリングされたチャネルであることを特徴とする
請求項１４−１９のいずれか一項に記載の方法。
【請求項２２】
前記ビーム指示情報は、ダウンリンク無線リソース制御（ＲＲＣ）シグナリング、ダウンリンクＭＡＣシグナリング、ＤＣＩシグナリング、ダウンリンク同期信号、ダウンリンクランダムアクセス信号とダウンリンクパイロット信号のうちの少なくとも一つに含まれることを特徴とする
請求項１４−２１のいずれか一項に記載の方法。
【請求項２３】
前記ＭＡＣシグナリングは前記Ｎ個の信号をアクティブ化又は非アクティブ化することに用いられ、及び／又は
前記Ｎ個の信号が基準信号である場合、前記ＤＣＩシグナリングは前記Ｎ個の信号をトリガすることに用いられ、
前記Ｎ個の信号がチャネルである場合、前記ＤＣＩシグナリングは前記Ｎ個の信号をスケジューリングすることに用いられることを特徴とする
請求項２２に記載の方法。
【請求項２４】
前記ＲＲＣシグナリングはさらに前記Ｎ個の信号に対応する伝送リソース配置情報を搬送することに用いられ、前記端末装置と前記Ｎ個の信号の伝送を行うことは、
前記伝送リソース配置情報に基づき、前記端末装置と前記Ｎ個の信号の伝送を行うことを含むことを特徴とする
請求項２２に記載の方法。
【請求項２５】
前記ビーム指示情報は前記Ｎ個の信号のそれぞれに一対一で対応するビーム情報であり、
前記Ｎ個の信号のうちの第一の信号と第二の信号のビーム情報に示される内容が同じである場合、前記第一の信号及び前記第二の信号の伝送のためのビームが同じであること、
前記Ｎ個の信号のうちの第三の信号と第四の信号のビーム情報に示される内容が異なる場合、前記第三の信号と前記第四の信号の伝送のためのビームが異なること、
前記Ｎ個の信号のうちの第五の信号と第六の信号のビーム情報がいずれも予め設定された第一の値である場合、前記第五の信号と前記第六の信号の伝送のためのビームが同じであること、
前記Ｎ個の信号のうちの第七の信号と第八の信号のビーム情報がいずれも予め設定された第二の値である場合、前記第七の信号と前記第八の信号の伝送のためのビームが異なり、前記第一の値と前記第二の値が異なること、
前記Ｎ個の信号のうちの第九の信号のビーム情報に示される内容が前記Ｎ個の信号のうちの第十の信号のインデックスを含む場合、前記第九の信号と前記第十の信号の伝送のためのビームが同じであること、
前記Ｎ個の信号のうちの第十一の信号のビーム情報に示される内容が前記Ｎ個の信号のうちの第十二の信号のインデックスを含む場合、前記十一の信号及び前記第十二の信号の伝送のためのビームが異なること、
のうちの少なくとも一つにより、前記ビーム指示情報が前記Ｎ個の信号のためのビームが同じであるかどうかを示すことを特徴とする
請求項１４−２４のいずれか一項に記載の方法。
【請求項２６】
前記Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、ダウンリンク同期信号、物理ブロードキャストチャネル（ＰＢＣＨ）、復調基準信号（ＤＭＲＳ）とビーム専用基準信号（ＢＴＳ）のうちの少なくとも一つであることを特徴とする
請求項１４−２５のいずれか一項に記載の方法。
【請求項２７】
信号を伝送するための端末装置であって、前記端末装置は、
ネットワーク装置から送信されたビーム指示情報を受信するように構成され、前記ビーム指示情報が、送信待ち又は受信待ちのＮ個の信号のためのビームが同じであるか否かを示すことに用いられ、Ｎが１より大きい整数である受信ユニットと、
前記ビーム指示情報に基づき、前記ネットワーク装置と前記Ｎ個の信号の伝送を行うように構成される伝送ユニットとを備える、前記信号を伝送するための端末装置。
【請求項２８】
前記ビーム指示情報は前記ネットワーク装置が異なるビームを用いて端末装置へ前記Ｎ個の信号を送信することを示すことに用いられ、前記伝送ユニットは具体的に、
前記ビーム指示情報に基づき、前記Ｎ個の信号を受信するように構成され、
前記端末装置はさらに、
前記ネットワーク装置へ第一の指示情報を送信するように構成され、前記第一の指示情報が前記Ｎ個の信号のうちのＫ個の信号を示すことに用いられ、１≦Ｋ≦Ｎ、Ｋが整数である送信ユニットを備えることを特徴とする
請求項２７に記載の端末装置。
【請求項２９】
前記ビーム指示情報は端末装置が異なるビームを用いて前記ネットワーク装置へ前記Ｎ個の信号を送信することを示すことに用いられ、前記伝送ユニットは具体的に、
前記ビーム指示情報に基づき、前記Ｎ個の信号を送信するように構成され、
前記受信ユニットはさらに、
前記ネットワーク装置から送信された第二の指示情報を受信するように構成され、前記第二の指示情報が前記Ｎ個の信号のうちのＬ個の信号を示すことに用いられ、１≦Ｌ≦Ｎ、Ｌが整数であることを含むことを特徴とする
請求項２７に記載の端末装置。
【請求項３０】
前記伝送ユニットが前記ビーム指示情報に基づき、前記Ｎ個の信号を送信することは、
前記ビーム指示情報に基づき、異なるビームを用いて前記Ｎ個の信号を送信することを含み、
前記端末装置はさらに、
前記第二の指示情報に基づき、後続の信号の送信のためのビームを確定するように構成される確定ユニットを備えることを特徴とする
請求項２９に記載の端末装置。
【請求項３１】
前記ビーム指示情報は前記ネットワーク装置が同じビームを用いて端末装置へ前記Ｎ個の信号を送信することを示すことに用いられ、前記伝送ユニットは具体的に、
前記ビーム指示情報に基づき、異なるビームを用いて前記Ｎ個の信号を受信するように構成され、
前記端末装置はさらに、
前記Ｎ個の信号の受信のためのビームから、後続の信号の受信のためのビームを確定するように構成される確定ユニットを備えることを特徴とする
請求項２７に記載の端末装置。
【請求項３２】
前記ビーム指示情報は端末装置が同じビームを用いて前記ネットワーク装置へ前記Ｎ個の信号を送信することを示すことに用いられ、前記伝送ユニットは具体的に、
前記ビーム指示情報に基づき、同じビームを用いて前記Ｎ個の信号を送信するように構成されることを特徴とする
請求項２７に記載の端末装置。
【請求項３３】
前記Ｎ個の信号は異なる伝送リソースを用いて配置された同一の基準信号又は同一のチャネルであることを特徴とする
請求項２７−３２のいずれか一項に記載の端末装置。
【請求項３４】
前記Ｎ個の信号は同一のメディアアクセス制御（ＭＡＣ）シグナリングでアクティブ化又は非アクティブ化された信号であり、又は前記Ｎ個の信号は同一のダウンリンク制御情報（ＤＣＩ）シグナリングによってトリガされた基準信号、又は同一のＤＣＩシグナリングでスケジューリングされたチャネルであることを特徴とする
請求項２７−３３のいずれか一項に記載の端末装置。
【請求項３５】
前記ビーム指示情報は、ダウンリンク無線リソース制御（ＲＲＣ）シグナリング、ダウンリンクＭＡＣシグナリングとＤＣＩシグナリング、ダウンリンク同期信号、ダウンリンクランダムアクセス信号及びダウンリンクパイロット信号のうちの少なくとも一つに含まれることを特徴とする
請求項２７−３４のいずれか一項に記載の端末装置。
【請求項３６】
前記ＭＡＣシグナリングは前記Ｎ個の信号をアクティブ化又は非アクティブ化することに用いられ、及び／又は
前記Ｎ個の信号が基準信号である場合、前記ＤＣＩシグナリングは前記Ｎ個の信号をトリガすることに用いられ、
前記Ｎ個の信号がチャネルである場合、前記ＤＣＩシグナリングは前記Ｎ個の信号をスケジューリングすることに用いられることを特徴とする
請求項３５に記載の端末装置。
【請求項３７】
前記ＲＲＣシグナリングはさらに前記Ｎ個の信号に対応する伝送リソース配置情報を搬送することに用いられ、前記伝送ユニットは具体的に、
前記ビーム指示情報と前記伝送リソース配置情報に基づき、前記ネットワーク装置と前記Ｎ個の信号の伝送を行うように構成されることを特徴とする
請求項３５に記載の端末装置。
【請求項３８】
前記ビーム指示情報は前記Ｎ個の信号のそれぞれに一対一で対応するビーム情報を含み、  前記Ｎ個の信号のうちの第一の信号と第二の信号のビーム情報に示される内容が同じである場合、前記第一の信号及び前記第二の信号の伝送のためのビームが同じであること、
前記Ｎ個の信号のうちの第三の信号と第四の信号のビーム情報に示される内容が異なる場合、前記第三の信号と前記第四の信号の伝送のためのビームが異なること、
前記Ｎ個の信号のうちの第五の信号と第六の信号のビーム情報がいずれも予め設定された第一の値である場合、前記第五の信号と前記第六の信号の伝送のためのビームが同じであること、
前記Ｎ個の信号のうちの第七の信号と第八の信号のビーム情報がいずれも予め設定された第二の値である場合、前記第七の信号と前記第八の信号の伝送のためのビームが異なり、前記第一の値と前記第二の値が異なること、
前記Ｎ個の信号のうちの第九の信号のビーム情報に示される内容が前記Ｎ個の信号のうちの第十の信号のインデックスを含む場合、前記第九の信号と前記第十の信号の伝送のためのビームが同じであること、
前記Ｎ個の信号のうちの第十一の信号のビーム情報に示される内容が前記Ｎ個の信号のうちの第十二の信号のインデックスを含む場合、前記十一の信号及び前記第十二の信号の伝送のためのビームが異なること、
のうちの少なくとも一つにより、前記ビーム指示情報が前記Ｎ個の信号のためのビームが同じであるかどうかを示すことを特徴とする
請求項２７−３７のいずれか一項に記載の端末装置。
【請求項３９】
前記Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、同期信号、物理ブロードキャストチャネル（ＰＢＣＨ）、復調基準信号（ＤＭＲＳ）とビーム専用基準信号（ＢＴＳ）のうちの少なくとも一つであることを特徴とする
請求項２７−３８のいずれか一項に記載の端末装置。
【請求項４０】
信号を伝送するためのネットワーク装置であって、
端末装置へビーム指示情報を送信するように構成され、前記ビーム指示情報が送信待ち又は受信待ちのＮ個の信号のためのビームが同じであるか否かを示すことに用いられ、Ｎが１より大きい整数である送信ユニットと、
前記端末装置と前記Ｎ個の信号の伝送を行うように構成される伝送ユニットとを備える、前記信号を伝送するためのネットワーク装置。
【請求項４１】
前記ビーム指示情報はネットワーク装置が異なるビームを用いて前記端末装置へ前記Ｎ個の信号を送信することを示すことに用いられ、
前記伝送ユニットは具体的に、
前記Ｎ個の信号を送信するように構成され、
前記ネットワーク装置はさらに、
前記端末装置から送信された第一の指示情報を受信するように構成され、前記第一の指示情報が前記Ｎ個の信号のうちのＫ個の信号を示すことに用いられ、１≦Ｋ≦Ｎ、Ｋが整数である受信ユニットを備えることを特徴とする
請求項４０に記載のネットワーク装置。
【請求項４２】
前記伝送ユニットが前記Ｎ個の信号を送信することは、
異なるビームを用いて前記Ｎ個の信号を送信することを含み、
前記ネットワーク装置はさらに、
前記第一の指示情報に基づき、後続の信号の送信のためのビームを確定するように構成される確定ユニットを備えることを特徴とする
請求項４１に記載のネットワーク装置。
【請求項４３】
前記ビーム指示情報は前記端末装置が異なるビームを用いてネットワーク装置へ前記Ｎ個の信号を送信することを示すことに用いられ、前記伝送ユニットは具体的に、
前記Ｎ個の信号を受信するように構成され、
前記送信ユニットはさらに、
前記端末装置へ第二の指示情報を送信するように構成され、前記第二の指示情報が前記Ｎ個の信号のうちのＬ個の信号を示すことに用いられ、１≦Ｌ≦Ｎ、Ｌが整数であることを特徴とする
請求項４０に記載のネットワーク装置。
【請求項４４】
前記ビーム指示情報はネットワーク装置が同じビームを用いて前記端末装置へ前記Ｎ個の信号を送信することを示すことに用いられ、
前記伝送ユニットは具体的に、
同じビームを用いて前記Ｎ個の信号を送信するように構成されることを特徴とする請求項４０に記載のネットワーク装置。
【請求項４５】
前記ビーム指示情報は前記端末装置が同じビームを用いてネットワーク装置へ前記Ｎ個の信号を送信することを示すことに用いられ、
前記伝送ユニットは具体的に、
異なるビームを用いて該Ｎ個の信号を受信するように構成され、
前記ネットワーク装置はさらに、
前記Ｎ個の信号の受信のためのビームから、後続の信号の受信のためのビームを確定するように構成される確定ユニットを備えることを特徴とする
請求項４０に記載のネットワーク装置。
【請求項４６】
前記Ｎ個の信号は異なる伝送リソースを用いて配置された同一の基準信号又は同一のチャネルであることを特徴とする
請求項４０−４５のいずれか一項に記載のネットワーク装置。
【請求項４７】
前記Ｎ個の信号は同一のメディアアクセス制御（ＭＡＣ）シグナリングでアクティブ化又は非アクティブ化された信号であり、又は前記Ｎ個の信号は同一のダウンリンク制御情報（ＤＣＩ）シグナリングによってトリガされた基準信号、又は同一のＤＣＩシグナリングでスケジューリングされたチャネルであることを特徴とする
請求項４０−４５のいずれか一項に記載のネットワーク装置。
【請求項４８】
前記ビーム指示情報は、ダウンリンク無線リソース制御（ＲＲＣ）シグナリング、ダウンリンクＭＡＣシグナリング、ＤＣＩシグナリング、ダウンリンク同期信号、ダウンリンクランダムアクセス信号とダウンリンクパイロット信号のうちの少なくとも一つに含まれることを特徴とする
請求項４０−４７のいずれか一項に記載のネットワーク装置。
【請求項４９】
前記ＭＡＣシグナリングは前記Ｎ個の信号をアクティブ化又は非アクティブ化することに用いられ、及び／又は
前記Ｎ個の信号が基準信号である場合、前記ＤＣＩシグナリングは前記Ｎ個の信号をトリガすることに用いられ、
前記Ｎ個の信号がチャネルである場合、前記ＤＣＩシグナリングは前記Ｎ個の信号をスケジューリングすることに用いられることを特徴とする
請求項４８に記載のネットワーク装置。
【請求項５０】
前記ＲＲＣシグナリングはさらに前記Ｎ個の信号に対応する伝送リソース配置情報を搬送することに用いられ、前記伝送ユニットは具体的に、
前記伝送リソース配置情報に基づき、前記端末装置と前記Ｎ個の信号の伝送を行うように構成されることを特徴とする
請求項４８に記載のネットワーク装置。
【請求項５１】
前記ビーム指示情報は前記Ｎ個の信号のそれぞれに一対一で対応するビーム情報であり、
前記Ｎ個の信号のうちの第一の信号と第二の信号のビーム情報に示される内容が同じである場合、前記第一の信号及び前記第二の信号の伝送のためのビームが同じであること、
前記Ｎ個の信号のうちの第三の信号と第四の信号のビーム情報に示される内容が異なる場合、前記第三の信号と前記第四の信号の伝送のためのビームが異なること、
前記Ｎ個の信号のうちの第五の信号と第六の信号のビーム情報がいずれも予め設定された第一の値である場合、前記第五の信号と前記第六の信号の伝送のためのビームが同じであること、
前記Ｎ個の信号のうちの第七の信号と第八の信号のビーム情報がいずれも予め設定された第二の値である場合、前記第七の信号と前記第八の信号の伝送のためのビームが異なり、前記第一の値と前記第二の値が異なること、
前記Ｎ個の信号のうちの第九の信号のビーム情報に示される内容が前記Ｎ個の信号のうちの第十の信号のインデックスを含む場合、前記第九の信号と前記第十の信号の伝送のためのビームが同じであること、
前記Ｎ個の信号のうちの第十一の信号のビーム情報に示される内容が前記Ｎ個の信号のうちの第十二の信号のインデックスを含む場合、前記十一の信号及び前記第十二の信号の伝送のためのビームが異なること、
のうちの少なくとも一つにより、前記ビーム指示情報が前記Ｎ個の信号のためのビームが同じであるかどうかを示すことを特徴とする
請求項４０−５０のいずれか一項に記載のネットワーク装置。
【請求項５２】
前記Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、ダウンリンク同期信号、物理ブロードキャストチャネル（ＰＢＣＨ）、復調基準信号（ＤＭＲＳ）とビーム専用基準信号（ＢＴＳ）のうちの少なくとも一つであることを特徴とする
請求項４０−５１のいずれか一項に記載のネットワーク装置。
【発明の詳細な説明】
【技術分野】
【０００１】
本出願は通信分野に関し、特に信号伝送方法、端末装置とネットワーク装置に関する。
【背景技術】
【０００２】
第５世代（５Ｇ）移動通信技術の研究において、ビームフォーミング技術はカバレッジ及びスペクトル効率を向上させるための重要な技術である。ビームフォーミングはアンテナアレイに基づく信号の事前処理技術であり、各アンテナアレイ素子における送信信号の重み値を調整することにより、指向性を有するビームを生成する。
【０００３】
アップリンク信号伝送では、端末装置は、異なるビーム又は同じビームを用いて複数の信号を送信することができ、同様に、ダウンリンク信号伝送では、端末装置は異なるビーム又は同じビームを用いて複数の信号を受信することもでき、後続の信号伝送の性能を向上させるために、新しい信号伝送方法が緊急に必要とされている。
【発明の概要】
【発明が解決しようとする課題】
【０００４】
これに鑑みて、本発明の実施例は後続の信号伝送の性能を向上させることができる、信号伝送方法、端末装置とネットワーク側装置を提供する。
【課題を解決するための手段】
【０００５】
第一の態様による信号伝送方法は、ネットワーク装置から送信されたビーム指示情報を受信し、該ビーム指示情報が、送信待ち又は受信待ちのＮ個の信号のためのビームが同じであるか否かを示すことに用いられ、Ｎが１より大きい整数であることと、該ビーム指示情報に基づき、該ネットワーク装置と該Ｎ個の信号の伝送を行うこととを含む。
【０００６】
ビーム指示情報に基づいて複数の信号が同じビームを用いて伝送されるか否かを確定することにより、端末装置とネットワーク装置は各自で信号を送信又は受信するために使用する最適なビームを確定することができ、それによって後続の信号検出の性能が向上される。
【０００７】
一つの可能な実施形態では、該ビーム指示情報は該ネットワーク装置が異なるビームを用いて端末装置へ該Ｎ個の信号を送信することを示すことに用いられ、該ビーム指示情報に基づき、該ネットワーク装置と該Ｎ個の信号の伝送を行うことは、該ビーム指示情報に基づき、該Ｎ個の信号を受信することを含み、該方法はさらに該ネットワーク装置へ第一の指示情報を送信し、該第一の指示情報が該Ｎ個の信号のうちのＫ個の信号を示すことに用いられ、１≦Ｋ≦Ｎであり、Ｋが整数であることを含む。
【０００８】
具体的には、端末装置は該ビーム指示情報に基づいて同じビームを用いて該Ｎ個の信号を受信することができ、これにより、端末装置は受信された該Ｎ個の信号の品質に基づき、ネットワーク装置から送信された該Ｎ個の信号のうちの品質が最も良い信号を確定することができる。
【０００９】
選択可能に、該第一の指示情報は該Ｋ個の信号の信号インデックスであってもよく、該信号がビームと対応関係を有する。該Ｋ個の信号は端末装置によって受信された該Ｎ個の信号のうちの受信品質が最も良い一つ又は複数の信号であってもよい。
【００１０】
一つの可能な実施形態では、該ビーム指示情報は端末装置が異なるビームを用いて該ネットワーク装置へ該Ｎ個の信号を送信することを示すことに用いられ、該ビーム指示情報に基づき、該ネットワーク装置と該Ｎ個の信号の伝送を行うことは、該ビーム指示情報に基づき、該Ｎ個の信号を送信することを含み、該方法はさらに該ネットワーク装置から送信された第二の指示情報を受信し、該第二の指示情報が該Ｎ個の信号のうちのＬ個の信号を示すことに用いられ、１≦Ｌ≦Ｎであり、Ｌが整数であることを含む。
【００１１】
さらに、端末装置は異なるビームを用いて該Ｎ個の信号を送信した後、前記第二の指示情報に基づき、後続の信号の送信のためのビームを確定することができる。
【００１２】
選択可能に、該第二の指示情報は該Ｌ個の信号の信号インデックスであってもよく、該信号がビームと対応関係を有する。該Ｌ個の信号はネットワーク装置によって受信された該Ｎ個の信号のうちの受信品質が最も良い一つ又は複数の信号であってもよい。
【００１３】
一つの可能な実施形態では、該ビーム指示情報は該ネットワーク装置が同じビームを用いて端末装置へ該Ｎ個の信号を送信することを示すことに用いられ、該ビーム指示情報に基づき、該ネットワーク装置と該Ｎ個の信号の伝送を行うことは、該ビーム指示情報に基づき、異なるビームを用いて該Ｎ個の信号を受信することを含み、該方法はさらに該Ｎ個の信号を受信するためのビームから、後続の信号の受信のためのビームを確定することを含む。
【００１４】
一つの可能な実施形態では、該ビーム指示情報は端末装置が同じビームを用いて該ネットワーク装置へ該Ｎ個の信号を送信することを示すことに用いられ、該ビーム指示情報に基づき、該ネットワーク装置と該Ｎ個の信号の伝送を行うことは、該ビーム指示情報に基づき、同じビームを用いて該Ｎ個の信号を送信することを含む。
【００１５】
一つの可能な実施形態では、該Ｎ個の信号は異なる伝送リソースを用いて配置された同一の基準信号又は同一のチャネルである。
【００１６】
一つの可能な実施形態では、該Ｎ個の信号は同一のＭＡＣシグナリングでアクティブ化又は非アクティブ化された信号であり、又は該Ｎ個の信号は同一のＤＣＩシグナリングによってトリガされた基準信号、又は同一のＤＣＩシグナリングによってスケジューリングされたチャネルである。
【００１７】
一つの可能な実施形態では、該ビーム指示情報は、ダウンリンク無線リソース制御（ＲＲＣ）シグナリング、ダウンリンクメディアクアクセス制御（ＭＡＣ）シグナリングとダウンリンク制御情報（ＤＣＩ）シグナリング、ダウンリンク同期信号、ダウンリンクランダムアクセス信号とダウンリンクパイロット信号のうちの少なくとも一つに含まれる。
【００１８】
選択可能に、該ビーム指示情報はさらにダウンリンク制御信号、例えば物理ブロードキャストチャネル（ＰＢＣＨ：Ｐｈｙｓｉｃａｌ  Ｂｒｏａｄｃａｓｔ  Ｃｈａｎｎｅｌ）に含まれてもよい。
【００１９】
一つの可能な実施形態では、該ＭＡＣシグナリングは該Ｎ個の信号をアクティブ化又は非アクティブ化することに用いられ、及び／又は該Ｎ個の信号が基準信号であり、該ＤＣＩシグナリングは該Ｎ個の信号をトリガすることに用いられ、該Ｎ個の信号がチャネルであり、該ＤＣＩシグナリングは該Ｎ個の信号をスケジューリングすることに用いられる。
【００２０】
一つの可能な実施形態では、該ＲＲＣシグナリングはさらに該Ｎ個の信号に対応する伝送リソース配置情報を搬送することに用いられ、該ビーム指示情報に基づき、該ネットワーク装置と該Ｎ個の信号の伝送を行うことは、該ビーム指示情報と該伝送リソース配置情報に基づき、該ネットワーク装置と該Ｎ個の信号の伝送を行うことを含む。
【００２１】
一つの可能な実施形態では、該ビーム指示情報が該Ｎ個の信号のそれぞれに一対一で対応するビーム情報を含み、前記ビーム指示情報が以下の少なくとも一つにより、前記Ｎ個の信号のためのビームが同じであるかどうかを示す：該Ｎ個の信号のうちの第一の信号と第二の信号のビーム情報に示される内容が同じである場合、該第一の信号及び該第二の信号の伝送のためのビームが同じであること、該Ｎ個の信号のうちの第三の信号と第四の信号のビーム情報に示される内容が異なる場合、該第三の信号と該第四の信号の伝送のためのビームが異なること、又は該Ｎ個の信号のうちの第五の信号と第六の信号のビーム情報がいずれも予め設定された第一の値である場合、該第五の信号と該第六の信号の伝送のためのビームが同じであること、該Ｎ個の信号のうちの第七の信号と第八の信号のビーム情報がいずれも予め設定された第二の値である場合、該第七の信号と該第八の信号の伝送のためのビームが異なり、該第一の値と該第二の値が異なること、該Ｎ個の信号のうちの第九の信号のビーム情報に示される内容が該Ｎ個の信号のうちの第十の信号のインデックスを含む場合、該第九の信号と該第十の信号の伝送のためのビームが同じであること、該Ｎ個の信号のうちの第十一の信号のビーム情報に示される内容が該Ｎ個の信号のうちの第十二の信号のインデックスを含む場合、該第十一の信号及び該第十二の信号の伝送のためのビームが異なること。
【００２２】
一つの可能な実施形態では、該Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、同期信号、物理ブロードキャストチャネル（ＰＢＣＨ）、復調基準信号（ＤＭＲＳ）とビーム専用基準信号（ＢＴＳ）のうちの少なくとも一つである。
【００２３】
第二の態様による信号伝送方法は、端末装置へビーム指示情報を送信し、該ビーム指示情報が送信待ち又は受信待ちのＮ個の信号のためのビームが同じであるか否かを示すことに用いられ、Ｎが１より大きい整数であることと、該端末装置と該Ｎ個の信号の伝送を行うこととを含む。
【００２４】
ネットワーク装置が端末装置へ複数の信号が同じビームを用いて伝送されるか否かを確定するためのビーム指示情報を送信することにより、端末装置とネットワーク装置は各自で信号を送信又は受信するために使用する最適なビームを確定することができ、それによって後続の信号検出の性能が向上される。
【００２５】
一つの可能な実施形態では、該ビーム指示情報はネットワーク装置が異なるビームを用いて該端末装置へ該Ｎ個の信号を送信することを示すことに用いられ、該端末装置と該Ｎ個の信号の伝送を行うことは、異なるビームを用いて該Ｎ個の信号を送信することを含み、該方法はさらに該端末装置から送信された第一の指示情報を受信し、該第一の指示情報が該Ｎ個の信号のうちのＫ個の信号のためのビームを示すことに用いられ、１≦Ｋ≦Ｎであり、Ｋが整数であることを含む。
【００２６】
さらに、ネットワーク装置は異なるビームを用いて該Ｎ個の信号を送信した後、該第一の指示情報に基づき、後続の信号の送信のためのビームを確定することができる。
【００２７】
一つの可能な実施形態では、該ビーム指示情報は該端末装置が異なるビームを用いてネットワーク装置へ該Ｎ個の信号を送信することを示すことに用いられ、該端末装置と該Ｎ個の信号の伝送を行うことは、同じビームを用いて該Ｎ個の信号を受信することを含み、該方法はさらに該端末装置へ第二の指示情報を送信し、該第二の指示情報が該Ｎ個の信号のうちのＬ個の信号のためのビームを示すことに用いられ、１≦Ｌ≦Ｎであり、Ｌが整数であることを含む。
【００２８】
一つの可能な実施形態では、該ビーム指示情報はネットワーク装置が同じビームを用いて該端末装置へ該Ｎ個の信号を送信することを示すことに用いられ、該端末装置と該Ｎ個の信号の伝送を行うことは、同じビームを用いて該Ｎ個の信号を送信することを含む。
【００２９】
一つの可能な実施形態では、該ビーム指示情報は該端末装置が同じビームを用いてネットワーク装置へ該Ｎ個の信号を送信することを示すことに用いられ、該端末装置と該Ｎ個の信号の伝送を行うことは、異なるビームを用いて該Ｎ個の信号を受信することを含み、該方法はさらに該Ｎ個の信号を受信するためのビームから、後続の信号の受信のためのビームを確定することを含む。
【００３０】
一つの可能な実施形態では、前記Ｎ個の信号は異なる伝送リソースを用いて配置された同一の基準信号又は同一のチャネルである。
【００３１】
一つの可能な実施形態では、前記Ｎ個の信号は同一のＭＡＣシグナリングでアクティブ化又は非アクティブ化された信号であり、又は前記Ｎ個の信号は同一のＤＣＩシグナリングによってトリガされた基準信号、又は同一のＤＣＩシグナリングでスケジューリングされたチャネルである。
【００３２】
一つの可能な実施形態では、前記ビーム指示情報は、無線リソース制御（ＲＲＣ）シグナリング、メディアアクセス制御（ＭＡＣ）シグナリング、ダウンリンク制御情報（ＤＣＩ）シグナリング、ダウンリンク同期信号、ダウンリンクランダムアクセス信号とダウンリンクパイロット信号のうちの少なくとも一つに含まれる。
【００３３】
一つの可能な実施形態では、前記ＭＡＣシグナリングは前記Ｎ個の信号をアクティブ化又は非アクティブ化することに用いられ、及び／又は前記Ｎ個の信号が基準信号である場合、前記ＤＣＩシグナリングは前記Ｎ個の信号をトリガすることに用いられ、前記Ｎ個の信号がチャネルである場合、前記ＤＣＩシグナリングは前記Ｎ個の信号をスケジューリングすることに用いられる。
【００３４】
一つの可能な実施形態では、該ＲＲＣシグナリングはさらに該Ｎ個の信号に対応する伝送リソース配置情報を搬送することに用いられ、該端末装置と該Ｎ個の信号の伝送を行うことは、該伝送リソース配置情報に基づき、該端末装置と該Ｎ個の信号の伝送を行うことを含む。
【００３５】
一つの可能な実施形態では、該ビーム指示情報が該Ｎ個の信号のそれぞれに一対一で対応するビーム情報であり、前記ビーム指示情報が以下の少なくとも一つにより、前記Ｎ個の信号のためのビームが同じであるかどうかを示す：該Ｎ個の信号のうちの第一の信号と第二の信号のビーム情報に示される内容が同じである場合、該第一の信号及び該第二の信号の伝送のためのビームが同じであること、該Ｎ個の信号のうちの第三の信号と第四の信号のビーム情報に示される内容が異なる場合、該第三の信号と該第四の信号の伝送のためのビームが異なること、該Ｎ個の信号のうちの第五の信号と第六の信号のビーム情報がいずれも予め設定された第一の値である場合、該第五の信号と該第六の信号の伝送のためのビームが同じであること、該Ｎ個の信号のうちの第七の信号と第八の信号のビーム情報がいずれも予め設定された第二の値である場合、該第七の信号と該第八の信号の伝送のためのビームが異なり、該第一の値と該第二の値が異なること、該Ｎ個の信号のうちの第九の信号のビーム情報に示される内容が該Ｎ個の信号のうちの第十の信号のインデックスを含む場合、該第九の信号と該第十の信号の伝送のためのビームが同じであること、該Ｎ個の信号のうちの第十一の信号のビーム情報に示される内容が該Ｎ個の信号のうちの第十二の信号のインデックスを含む場合、該第十一の信号及び該第十二の信号の伝送のためのビームが異なること。
【００３６】
一つの可能な実施形態では、該Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、ダウンリンク同期信号、物理ブロードキャストチャネル（ＰＢＣＨ）、復調基準信号（ＤＭＲＳ）とビーム専用基準信号（ＢＴＳ）のうちの少なくとも一つである。
【００３７】
第三の態様による端末装置は上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００３８】
第四の態様によるネットワーク装置は上記第二の態様又は第二の態様のいずれかの可能な実施形態における方法を実行することに用いられる。具体的には、該ネットワーク装置は、上記第二の態様又は第二の態様のいずれかの可能な実施形態における方法を実行するためのユニットを備える。
【００３９】
第五の態様による端末装置は、メモリ、プロセッサと送受信機を備える。ここで、メモリ、プロセッサと送受信機は内部接続パスを介して相互に通信し、制御及び／又はデータ信号を伝送する。該メモリは命令を記憶するように構成され、該プロセッサは該メモリに記憶された命令を実行するように構成され、該命令が実行される場合、該プロセッサは入力されたデータ及び情報を受信し、操作結果などのデータを出力するように送受信機を制御する。
【００４０】
第六の態様によるネットワーク装置は、メモリ、プロセッサと送受信機を備える。ここで、メモリ、プロセッサと送受信機は内部接続パスを介して相互に通信し、制御及び／又はデータ信号を伝送し、該メモリが命令を記憶するように構成され、該プロセッサが該メモリに記憶された命令を実行するように構成され、該命令が実行される場合、該プロセッサは入力されたデータ及び情報を受信し、操作結果などのデータを出力するように送受信機を制御する。
【図面の簡単な説明】
【００４１】
【図１】本発明の実施例の一つの可能な応用シーンを示す概略図である。
【図２】二つのストリームのビームフォーミングを示す概略ブロック図である。
【図３】本発明の実施例による信号伝送方法を示す概略ブロック図である。
【図４】本発明の実施例による信号伝送方法を示すもう一つの概略ブロック図である。
【図５】本発明の実施例による信号を伝送するための端末装置を示す概略ブロック図である。
【図６】本発明の実施例による信号を伝送するためのネットワーク装置を示す概略ブロック図である。
【図７】本発明の実施例による信号を伝送するための端末装置を示すもう一つの概略ブロック図である。
【図８】本発明の実施例による信号を伝送するためのネットワーク装置を示すもう一つの概略ブロック図である。
【発明を実施するための形態】
【００４２】
以下は本発明の実施例の図面を組み合わせながら、本発明の実施例に係る技術的解決策を明確に、全面的に説明する。
【００４３】
理解すべきものとして、本発明の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムに応用されてもよい。
【００４４】
特に、本発明の実施例の技術的解決策は非直交マルチアクセス技術に基づく様々な通信システム、例えばスパースコードマルチアクセス（Ｓｐａｒｓｅ  Ｃｏｄｅ  Ｍｕｌｔｉｐｌｅ  Ａｃｃｅｓｓ：「ＳＣＭＡ」と略称）システム、低密度署名（Ｌｏｗ  Ｄｅｎｓｉｔｙ  Ｓｉｇｎａｔｕｒｅ：「ＬＤＳ」と略称）システムなどに応用されてもよく、当然ＳＣＭＡシステムとＬＤＳシステムが通信分野において他の名称と呼ばれてもよく、さらに、本発明の実施例の技術的解決策は非直交マルチアクセス技術を用いたマルチ搬送波伝送システム、例えば非直交マルチアクセス技術を用いた直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）、フィルターバンクマルチ搬送波（Ｆｉｌｔｅｒ  Ｂａｎｋ  Ｍｕｌｔｉ−Ｃａｒｒｉｅｒ；「ＦＢＭＣ」と略称）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：「ＧＦＤＭ」と略称）、フィルタ直交周波数分割多重（Ｆｉｌｔｅｒｅｄ−ＯＦＤＭ：「Ｆ−ＯＦＤＭ」と略称）システムなどに応用されてもよい。
【００４５】
本発明の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置と呼ばれてもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本発明では限定されない。
【００４６】
本発明の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本発明の実施例では限定されない。
【００４７】
図１は本発明の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク送信を表すことができる。
【００４８】
５Ｇの研究において、ビームフォーミング技術はカバレッジ及びスペクトル効率を向上させるための重要な技術である。ビームフォーミング（ＢＦ：Ｂｅａｍｆｏｒｍｉｎｇ）はアダプティブアレイスマートアンテナの一つの実現方式であり、複数のアレイ素子からなるアンテナアレイで実現されたデジタル信号処理技術である。それは有効信号と干渉信号の到来角などの空間チャネル特性の違いを用い、アンテナアレイに適切な重み付け値を設定し、有効信号と干渉信号を空間的に隔離することにより、ユーザ間の干渉を低減し、システム容量を向上させるという目的を達成する。
【００４９】
本発明の実施例を容易に理解するために、以下に図２における二つのストリームのビームフォーミングを例としてビームフォーミング技術を簡単に説明する。図２に示すように、送信側の２つのデータストリームはそれぞれスクランブルされ、変調され、その後アンテナ層にマッピングされ、プリコーディング処理の後にビームフォーミングユニットに入り、２つの異なるデータストリームに対して２グループのフォーミング係数を計算して得て、２つのデータストリームをそれぞれフォーミングし、アンテナポートに送り込み、そして異なるユーザを指し示す。
【００５０】
アップリンク伝送では、端末装置は異なるビームを用いて複数の信号を送信し、ネットワーク装置にその中の受信品質の最も良いビームを後続のアップリンク信号の伝送のためのビームとして示させることができる。同時に、端末装置は同じビームを用いて複数の同じ信号を送信することもでき、ネットワーク装置は異なるビームを用いて複数の信号を受信し、これにより受信品質の最も良いビームを後続の信号受信のためのビームとして選択することができる。
【００５１】
同様に、ダウンリンク伝送では、ネットワーク装置は異なるビームを用いて複数の信号を送信し、端末装置にその中の受信品質の最も良いビームを後続のダウンリンク信号の伝送のためのビームとして示させることができる。同時に、ネットワーク装置は同じビームを用いて複数の同じ信号を送信することもでき、端末装置は異なるビームを用いて複数の信号を受信し、これにより受信品質の最も良いビームを後続の信号受信のためのビームとして選択することができる。
【００５２】
したがって、アップリンク伝送又はダウンリンク伝送では、後続の信号を受信又は送信するためのビームを確定するように、受信側は送信側から送信された複数の信号に対して同じビーム又は異なるビームを用いるかを知る必要がある。
【００５３】
図３は本発明の実施例による信号伝送方法１００を示す概略ブロック図である。図１００に示すように、該方法は端末装置によって実行されてもよく、例えばユーザ装置によって実行されてもよく、該方法１００はＳ１１０とＳ１２０を含む。
【００５４】
Ｓ１１０において、ネットワーク装置から送信されたビーム指示情報を受信し、該ビーム指示情報が、Ｎ個の信号を伝送するためのビームが同じであるか否かを示すことに用いられ、Ｎが１より大きい整数である。
【００５５】
Ｓ１２０において、該ビーム指示情報に基づき、該ネットワーク装置と該Ｎ個の信号の伝送を行う。
【００５６】
具体的には、ネットワーク装置は端末装置又はネットワーク装置が複数の信号を伝送するために用いるビームが同じであるか否かを予め定めることができ、ネットワーク装置はさらに無線リソース制御（ＲＲＣ：Ｒａｄｉｏ  Ｒｅｓｏｕｒｃｅ  Ｃｏｎｔｒｏｌ）シグナリングなどにより端末装置へビーム指示情報を送信することができ、該ビーム指示情報により、複数の信号のうちのどの信号に対して同じビームを用いるか、又はどの信号に対して異なる信号を用いるかを端末装置に通知することができ、このようにして、端末装置は該ビーム指示情報に基づき、どのように該複数の信号を送信又は受信するかを確定することができる。例えば、ネットワーク装置が、複数のアップリンク信号を伝送する時にその中の２つのアップリンク信号に対して同じビームを用いることができることを端末装置に通知する場合、ネットワーク装置は異なるビームを用いてこの２つの信号を受信することができ、これによりネットワーク装置は該２つの信号を受信するためのビームから、後続のアップリンク信号を受信するための最も良いビームを選択する。
【００５７】
したがって、本発明の実施例による信号伝送方法では、ビーム指示情報に基づいて複数の信号が同じビームを用いて伝送されるか否かを確定することにより、端末装置とネットワーク装置は各自で信号を送信又は受信するために用いる最適なビームを確定することができ、それによって後続の信号検出の性能が向上される。
【００５８】
説明すべきものは、その第一として、本発明の実施例はネットワーク装置が端末装置へビーム指示情報を送信し、複数の信号の伝送のためのビームが同じであるか否かを端末装置に通知することを例として説明する。同様に、端末装置はネットワーク装置へビーム指示情報を送信し、複数の信号の伝送のためのビームが同じであるか否かをネットワーク装置に通知することができ、具体的には、いくつかの専用シグナリングにより該ビーム指示情報を搬送することができる。本発明はこれに限定されない。
【００５９】
その第二として、ここでのＮ個の信号はアップリンク信号であってもよいし、ダウンリンク信号であってもよい。同期信号であってもよいし、物理ブロードキャストチャネル（ＰＢＣＨ：Ｐｈｙｓｉｃａｌ  Ｂｒｏａｄｃａｓｔ  Ｃｈａｎｎｅｌ）、システム情報ブロック（ＳＩＢ：Ｓｙｓｔｅｍ  Ｉｎｆｏｒｍａｔｉｏｎ  Ｂｌｏｃｋ）などのブロードキャスト信号であってもよいし、物理ランダムアクセスチャネル（ＰＲＡＣＨ：Ｐｈｙｓｉａｃａｌ  Ｒａｎｄｏｍ  Ａｃｃｅｓｓ  Ｃｈａｎｎｅｌ）、ビーム専用基準信号（ＢＲＳ：ｂｅａｍ−ｓｐｅｃｉｆｉｃ  ＲＳ）であってもよいし、チャネル状態情報−基準信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、復調基準信号（ＤＭＲＳ：Ｄｅｍｏｄｕｌａｔｉｏｎ  Ｒｅｆｅｒｅｎｃｅ  Ｓｉｇｎａｌ）、サウンディング基準信号（ＳＲＳ：Ｓｏｕｎｄｉｎｇ  Ｒｅｆｅｒｅｎｃｅ  Ｓｉｇｎａｌ）などのダウンリンク基準信号であってもよい。
【００６０】
その第三として、ここでのネットワーク装置と該Ｎ個の信号の伝送を行うことは、ネットワーク装置と該信号の送受信を行うことを意味する。端末装置がネットワーク装置から送信された該Ｎ個の信号を受信することであってもよいし、端末装置がネットワーク装置へ該Ｎ個の信号を送信することであってもよい。
【００６１】
選択可能に、本発明の実施例では、該ビーム指示情報は該ネットワーク装置が異なるビームを用いて端末装置へ該Ｎ個の信号を送信することを示すことに用いられ、該ビーム指示情報に基づき、該ネットワーク装置と該Ｎ個の信号の伝送を行うことは、該ビーム指示情報に基づき、該Ｎ個の信号を受信することを含み、該方法はさらに該ネットワーク装置へ第一の指示情報を送信し、該第一の指示情報が該Ｎ個の信号のうちのＫ個の信号を示すことに用いられ、１≦Ｋ≦Ｎであり、Ｋが整数であることを含む。
【００６２】
当業者は、ビームフォーミング技術がチャネル情報のフィードバック方式に応じてコードブックに基づく方式とチャネル相互性に基づく方式という２つの方式に分類されてもよいことを理解する。前者が端末からフィードバックされたコードブック情報に基づき、ネットワーク装置によって次回の伝送のためのプリコードコードブックを確定し、後者はアップリンクで送信されたサウンディング基準信号（ＳＲＳ）に基づき、チャネル相互性によりダウンリンクチャネル情報を得て、そしてダウンリンクに必要なプリコーディング行列計算及び選択を行う。例えば、端末装置がＮ個の異なるビームを用いてＮ個の信号をフォーミングし、そしてフォーミングされたＮ個の信号をネットワーク装置に送信する場合、ネットワーク装置は通常同じビームを用いて該Ｎ個の信号を受信し、そして端末装置へ一つ又は複数のビームインデックス又は該一つ又は複数のビームインデックスに対応するＣＳＩ−ＲＳリソースのインデックスを報告し、ネットワーク装置はさらに端末装置が後続の信号をビームフォーミングするように、端末装置へ一つ又は複数の信号のインデックスなどを報告することができる。具体的には、ネットワーク装置から報告された信号インデックスは端末装置が異なるビームを用いて送信したダウンリンク信号のうちの信号品質が最も良い信号のインデックスであってもよいし、信号品質が２番目にある信号のインデックス、又は他のビームインデックスであってもよく、本発明はこれに限定されない。
【００６３】
選択可能に、本発明の実施例では、該ビーム指示情報は端末装置が異なるビームを用いて該ネットワーク装置へ該Ｎ個の信号を送信することを示すことに用いられ、該ビーム指示情報に基づき、該ネットワーク装置と該Ｎ個の信号の伝送を行うことは、該ビーム指示情報に基づき、該Ｎ個の信号をビームで送信することを含み、該方法はさらに該ネットワーク装置から送信された第二の指示情報を受信し、該第二の指示情報が該Ｎ個の信号のうちのＬ個の信号を示すことに用いられ、１≦Ｌ≦Ｎであり、Ｌが整数であることを含む。
【００６４】
例えば、ネットワーク装置がＮ個の異なるビームを用いてＮ個の信号をフォーミングし、そしてフォーミングされたＮ個の信号を端末装置に送信する場合、端末装置は通常同じビームを用いて該Ｎ個の信号を受信し、そしてネットワーク装置へ一つ又は複数のビームインデックス又は該一つ又は複数のビームインデックスに対応するＣＳＩ−ＲＳリソースのインデックスを報告し、端末装置はさらにネットワーク装置が後続の信号をビームフォーミングするように、ネットワーク装置へ一つ又は複数の信号のインデックスなどを報告することができる。具体的には、端末装置から報告された信号インデックスはネットワーク装置が異なるビームを用いて送信したダウンリンク信号のうちの信号品質が最も良い信号のインデックスであってもよいし、信号品質が２番目にある信号のインデックス、又は他のビームインデックスであってもよく、本発明はこれに限定されない。
【００６５】
さらに、端末装置は異なるビームを用いて複数の信号を送信した後、該第二の指示情報に基づき、後続の信号の送信のためのビームを確定することができる。具体的には、端末装置は受信された第二の指示情報に基づき、該第二の指示情報に示される信号を送信するためのビームを確定し、そして確定されたビームを後続の信号を送信するためのビームとする。
【００６６】
選択可能に、本発明の実施例では、該ビーム指示情報は該ネットワーク装置が同じビームを用いて端末装置へ該Ｎ個の信号を送信することを示すことに用いられ、該ビーム指示情報に基づき、該ネットワーク装置と該Ｎ個の信号の伝送を行うことは、該ビーム指示情報に基づき、異なるビームを用いて該Ｎ個の信号を受信することを含み、該方法はさらに該Ｎ個の信号を受信するためのビームから、後続の信号の受信のためのビームを確定することを含む。
【００６７】
同様に、端末装置が該ビーム指示情報に基づき、ネットワーク装置が同じビームを用いて端末装置へ複数の信号を送信することを確定する場合、ネットワーク装置は異なるビームを用い、フォーミングされた複数の信号を受信し、そしてその中から複数の信号のうちの受信品質が最も良い信号のためのビームを確定することができ、これにより後続でどのビームを用いて受信される信号の信号品質が最も良いかを確定することができる。理解すべきものとして、該受信品質の最も良い信号は一つ又は複数であってもよく、本発明はこれに限定されない。
【００６８】
選択可能に、本発明の実施例では、該ビーム指示情報は端末装置が同じビームを用いて該ネットワーク装置へ該Ｎ個の信号を送信することを示すことに用いられ、該ビーム指示情報に基づき、該ネットワーク装置と該Ｎ個の信号の伝送を行うことは、該ビーム指示情報に基づき、同じビームを用いて該Ｎ個の信号を送信することを含む。
【００６９】
同様に、端末装置が該ビーム指示情報に基づき、該端末装置が同じビームを用いて複数の信号を伝送することを確定する場合、端末装置は同じビームを用いて該複数の信号を伝送することができ、それによってネットワーク装置は異なるビームを用いて該複数の信号を受信することができ、且つネットワーク装置はその中から該複数の信号のうちの受信品質が最も良い信号のためのビームを確定することができ、これにより後続でどのビームを用いて受信される信号の信号品質が最も良いかを確定することができる。理解すべきものとして、該受信品質の最も良い信号は一つ又は複数であってもよく、本発明はこれに限定されない。
【００７０】
理解すべきものとして、上記実施例は一つの例示的な説明だけであり、本発明の実施例はこれに限定さらない。例えば、端末装置がビーム指示情報に基づき、該端末装置が異なるビームを用いてネットワーク装置へ複数の信号を送信するべきであることを確定する場合、端末装置は異なるビームを用いてネットワーク装置へ該複数の信号を送信することができ、端末装置は同じビームを用いてネットワーク装置へ該複数の信号を送信することもでき、端末装置は該ビーム指示情報を一つの基準信号とし、それ自体の状況に応じて該複数の信号を送信又は受信することができる。
【００７１】
また、理解すべきものとして、上記実施例におけるＮ個の信号はアップリンク信号だけでなく、ダウンリンク信号を含むことができ、即ちビーム指示情報はＮ個の信号のうちのアップリンク信号に対して同じ又は異なるビームを用いることを示すことができ、Ｎ個の信号のうちのダウンリンク信号に対して同じ又は異なるビームを用いることを同時に示すこともでき、本発明の実施例は該Ｎ個の信号がアップリンク信号又はダウンリンク信号だけである場合に限定されない。
【００７２】
選択可能に、本発明の実施例では、該ビーム指示情報は、無線リソース制御（ＲＲＣ）シグナリング、メディアアクセス制御（ＭＡＣ：Ｍｅｄｉａ  Ａｃｃｅｓｓ  Ｃｏｎｔｒｏｌ）シグナリングとダウンリンク制御情報（ＤＣＩ）シグナリング、ダウンリンク同期信号、ダウンリンクランダムアクセス信号とダウンリンクパイロット信号のうちの少なくとも一つに含まれる。
【００７３】
具体的には、該ビーム指示情報はＲＲＣシグナリング又はＭＡＣシグナリング又はＤＣＩシグナリングによって伝送され、又はダウンリンク信号に含まれる。例えば、プライマリ同期信号（ＰＳＳ：Ｐｒｉｍａｒｙ  Ｓｙｎｃｈｒｏｎｉｚａｔｉｏｎ  Ｓｉｇｎａｌ）シーケンス又はセカンダリ同期信号（ＳＳＳ：Ｓｅｃｏｎｄａｒｙ  Ｓｙｎｃｈｒｏｎｉｚａｔｉｏｎ  Ｓｉｇｎａｌ）シーケンス又は物理ブロードキャスト（ＰＢＣＨ：Ｐｈｙｓｉｃａｌ  Ｂｒｏａｄｃａｓｔ  Ｃｈａｎｎｅｌ）により該ビーム指示情報を含むことができ、該ビーム指示情報をＤＣＩにおける他の情報により暗黙的に示すこともでき、該ビーム指示情報はさらに複数の信号の伝送リソース配置情報により端末装置に送信されてもよい。例えば、該複数の信号の伝送リソース配置情報がＲＲＣシグナリングにより配置される場合、該ビーム指示情報は該伝送リソースと同一のＲＲＣ情報ドメインに配置されて伝送されてもよい。該ビーム指示情報はさらにいくつかの専用のダウンリンク制御信号により含まれてもよい。
【００７４】
さらに、該ビーム指示情報を含むＭＡＣシグナリングは前記Ｎ個の信号をアクティブ化又は非アクティブ化することに用いられ、及び／又は前記Ｎ個の信号が基準信号である場合、該ビーム指示情報を含むＤＣＩシグナリングは前記Ｎ個の信号をトリガすることに用いられ、前記Ｎ個の信号がチャネルである場合、該ビーム指示情報を含むＤＣＩシグナリングは前記Ｎ個の信号をスケジューリングすることに用いられる。例えば、ＭＡＣシグナリングによりＣＳＩ−ＲＳリソースをアクティブ化する場合、ＭＡＣシグナリングにより該ビーム指示情報を含むことができる。
【００７５】
選択可能に、該複数の信号をトリガ又はスケジューリングするためのＤＣＩシグナリング及び／又は該複数の信号をアクティブ化又は非アクティブ化するためのＭＡＣシグナリングは該ビーム指示情報を含めないことができ、該ビーム指示情報が別のシグナリング、例えばＲＲＣシグナリングに含まれ、本発明の実施例はこれに限定されない。
【００７６】
理解すべきものとして、該ビーム指示情報が該複数の信号に対応する伝送リソース配置情報と伝送される場合、該複数の信号は異なる伝送リソースを用いて配置された同一のタイプ又は異なるタイプの信号であってもよい。例えば、該複数の信号は同一のパイロット信号、又は同一のチャネルである。例えば、該複数の信号が全てＰＲＡＣＨ信号、又はＳＲＳ信号、又はＤＭＲＳ信号、又はＣＳＩ−ＲＳ信号、又はビーム専用基準信号（ＢＲＳ：ｂｅａｍ−ｓｐｅｃｉｆｉｃ  ＲＳ）、又は同期信号、又は物理ダウンリンク共有信号（ＰＤＳＣＨ：Ｐｈｙｓｉｃａｌ  Ｄｏｗｎｌｉｎｋ  Ｓｈａｒｅｄ  Ｃｈａｎｎｅｌ）、又はＰＢＣＨ信号、又は物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号である。
【００７７】
選択可能に、本発明の実施例では、前記ビーム指示情報が前記Ｎ個の信号のそれぞれに一対一で対応するビーム情報を含み、前記ビーム指示情報が以下の少なくとも一つにより、前記Ｎ個の信号のためのビームが同じであるかどうかを示す：前記Ｎ個の信号のうちの第一の信号と第二の信号のビーム情報に示される内容が同じである場合、前記第一の信号及び前記第二の信号の伝送のためのビームが同じであること、前記Ｎ個の信号のうちの第三の信号と第四の信号のビーム情報に示される内容が異なる場合、前記第三の信号と前記第四の信号の伝送のためのビームが異なること、前記Ｎ個の信号のうちの第五の信号と第六の信号のビーム情報がいずれも予め設定された第一の値（例えば前記第一の値が０であってもよい）である場合、前記第五の信号と前記第六の信号の伝送のためのビームが同じであること、前記Ｎ個の信号のうちの第七の信号と第八の信号のビーム情報がいずれも予め設定された第二の値（例えば、前記第二の値が１であってもよい）である場合、前記第七の信号と前記第八の信号の伝送のためのビームが異なり、前記第一の値と前記第二の値が異なること、前記Ｎ個の信号のうちの第九の信号のビーム情報に示される内容が前記Ｎ個の信号のうちの第十の信号のインデックスを含む場合、前記第九の信号と前記第十の信号の伝送のためのビームが同じであること、前記Ｎ個の信号のうちの第十一の信号のビーム情報に示される内容が前記Ｎ個の信号のうちの第十二の信号のインデックスを含む場合、前記十一の信号及び前記第十二の信号の伝送のためのビームが異なること。
【００７８】
具体的には、該ビーム指示情報は一つのビットテーブルであってもよく、ここで該ビットテーブルにおける各ビットが複数の信号のうちの一つに対応し、各ビットが該信号のためのビーム情報、例えば８ビットで８つの信号を表することに対応し、ここで、０ビットの信号に対して同じビームを用い、１ビットの信号に対して異なるビームを用いることを定めることができ、１ビットの信号に対して同じビームを用い、０ビットの信号に対して異なるビームを用いることを定めることもできる。また、例えば、該ビーム指示情報に含まれる８つのビーム情報では、その中のあるビーム情報に示される内容が別の信号のインデックスを含む場合、該２つの信号のためのビームが同じであることを定めることができ、該２つの信号のためのビームが異なることを定めることもできる。理解すべきものとして、上記のこれらは例として説明され、本発明の実施例の保護範囲に対する限定を構成しない。
【００７９】
図４は本発明の実施例による信号伝送方法２００を示す概略ブロック図である。該方法２００はネットワーク装置によって実行されてもよく、例えば基地局によって実行されてもよく、図４に示すように、該方法２００はＳ２１０とＳ２２０を含む。
【００８０】
Ｓ２１０において、端末装置へビーム指示情報を送信し、該ビーム指示情報が、Ｎ個の信号を伝送するためのビームが同じであるか否かを示すことに用いられ、Ｎが１より大きい整数である。
【００８１】
Ｓ２２０において、該端末装置と該Ｎ個の信号の伝送を行う。
【００８２】
したがって、本発明の実施例の信号伝送方法では、ネットワーク装置が端末装置へ複数の信号が同じビームを用いて伝送されるか否かを確定するためのビーム指示情報を送信することにより、端末装置とネットワーク装置は各自で信号を送信又は受信するために用いる最適なビームを確定することができ、それによって後続の信号検出の性能が向上される。
【００８３】
選択可能に、本発明の実施例では、該ビーム指示情報はネットワーク装置が異なるビームを用いて該端末装置へ該Ｎ個の信号を送信することを示すことに用いられ、該端末装置と該Ｎ個の信号の伝送を行うことは、異なるビームを用いて該Ｎ個の信号を送信することを含み、該方法はさらに該端末装置から送信された第一の指示情報を受信し、該第一の指示情報が該Ｎ個の信号のうちのＫ個の信号を示すことに用いられ、１≦Ｋ≦Ｎであり、Ｋが整数であることを含む。
【００８４】
さらに、ネットワーク装置は異なるビームを用いて該Ｎ個の信号を送信した後、該方法２００はさらに該第一の指示情報に基づき、後続の信号の送信のためのビームを確定することを含む。
【００８５】
選択可能に、本発明の実施例では、該ビーム指示情報は該端末装置が異なるビームを用いてネットワーク装置へ該Ｎ個の信号を送信することを示すことに用いられ、該端末装置と該Ｎ個の信号の伝送を行うことは、同じビームを用いて該Ｎ個の信号を受信することを含み、該方法はさらに該端末装置へ第二の指示情報を送信し、該第二の指示情報が該Ｎ個の信号のうちのＬ個の信号のためのビームを示すことに用いられ、１≦Ｌ≦Ｎであり、Ｌが整数であることを含む。
【００８６】
選択可能に、本発明の実施例では、該ビーム指示情報はネットワーク装置が同じビームを用いて該端末装置へ該Ｎ個の信号を送信することを示すことに用いられ、該端末装置と該Ｎ個の信号の伝送を行うことは、同じビームを用いて該Ｎ個の信号を送信することを含む。
【００８７】
選択可能に、本発明の実施例では、該ビーム指示情報は該端末装置が同じビームを用いてネットワーク装置へ該Ｎ個の信号を送信することを示すことに用いられ、該端末装置と該Ｎ個の信号の伝送を行うことは、異なるビームを用いて該Ｎ個の信号を受信することを含み、該方法はさらに該Ｎ個の信号を受信するためのビームから、後続の信号の受信のためのビームを確定することを含む。
【００８８】
選択可能に、本発明の実施例では、前記Ｎ個の信号は異なる伝送リソースを用いて配置された同一の基準信号又は同一のチャネルである。
【００８９】
選択可能に、本発明の実施例では、前記Ｎ個の信号は同一のＭＡＣシグナリングでアクティブ化又は非アクティブ化された信号であり、又は前記Ｎ個の信号は同一のＤＣＩシグナリングによってトリガされた基準信号、又は同一のＤＣＩシグナリングでスケジューリングされたチャネルである。
【００９０】
選択可能に、本発明の実施例では、該ビーム指示情報は、無線リソース制御（ＲＲＣ）シグナリング、メディアアクセス制御（ＭＡＣ）シグナリング、ダウンリンク制御情報（ＤＣＩ）シグナリング、ダウンリンク同期信号、ダウンリンクランダムアクセス信号とダウンリンクパイロット信号のうちの少なくとも一つに含まれる。
【００９１】
選択可能に、本発明の実施例では、前記ＭＡＣシグナリングは前記Ｎ個の信号をアクティブ化又は非アクティブ化することに用いられ、及び／又は前記Ｎ個の信号が基準信号である場合、前記ＤＣＩシグナリングは前記Ｎ個の信号をトリガすることに用いられ、前記Ｎ個の信号がチャネルである場合、前記ＤＣＩシグナリングは前記Ｎ個の信号をスケジューリングすることに用いられる。
【００９２】
選択可能に、本発明の実施例では、該ＲＲＣシグナリングはさらに該Ｎ個の信号に対応する伝送リソース配置情報を搬送することに用いられ、該端末装置と該Ｎ個の信号の伝送を行うことは、該伝送リソース配置情報に基づき、該端末装置と該Ｎ個の信号の伝送を行うことを含む。
【００９３】
選択可能に、本発明の実施例では、該ビーム指示情報が該Ｎ個の信号のそれぞれに一対一で対応するビーム情報であり、前記ビーム指示情報が以下の少なくとも一つにより、前記Ｎ個の信号のためのビームが同じであるかどうかを示す：該Ｎ個の信号のうちの第一の信号と第二の信号のビーム情報に示される内容が同じである場合、該第一の信号及び該第二の信号の伝送のためのビームが同じであること、該Ｎ個の信号のうちの第三の信号と第四の信号のビーム情報に示される内容が異なる場合、該第三の信号と該第四の信号の伝送のためのビームが異なること、又は該Ｎ個の信号のうちの第五の信号と第六の信号のビーム情報がいずれも予め設定された第一の値である場合、該第五の信号と該第六の信号の伝送のためのビームが同じであること、該Ｎ個の信号のうちの第七の信号と第八の信号のビーム情報がいずれも予め設定された第二の値である場合、該第七の信号と該第八の信号の伝送のためのビームが異なり、該第一の値と該第二の値が異なること、該Ｎ個の信号のうちの第九の信号のビーム情報に示される内容が該Ｎ個の信号のうちの第十の信号のインデックスを含む場合、該第九の信号と該第十の信号の伝送のためのビームが同じであること、該Ｎ個の信号のうちの第十一の信号のビーム情報に示される内容が該Ｎ個の信号のうちの第十二の信号のインデックスを含む場合、該十一の信号及び該第十二の信号の伝送のためのビームが異なること。
【００９４】
選択可能に、本発明の実施例では、該Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、ダウンリンク同期信号、物理ブロードキャストチャネル（ＰＢＣＨ）、復調基準信号（ＤＭＲＳ）とビーム専用基準信号（ＢＴＳ）のうちの少なくとも一つである。
【００９５】
理解すべきものとして、ネットワーク装置側に基づく信号伝送方法では、端末装置とのインタラクション及び関連特性、機能などが端末装置側の関連特性、機能に対応し、簡潔にするために、説明を省略する。
【００９６】
以下に実施例１〜実施例５を組み合わせながら本出願の技術的解決策を詳細に説明する。
【００９７】
実施例１において、ネットワーク側はＮ個のＣＳＩ−ＲＳリソースを配置し、且つ各ＣＳＩ−ＲＳリソースに３ビットのビーム指示情報をそれぞれ配置し、該ビーム指示情報が各ＣＳＩ−ＲＳリソースのリソース配置情報と示される。端末装置は各ＣＳＩ−ＲＳリソースのビーム指示情報に基づき、異なるＣＳＩ−ＲＳリソースに対応するＣＳＩ−ＲＳに対して同じビームを用いるか否かを確定する。具体的には、指示情報が同じであるＣＳＩ−ＲＳリソースに対応するＣＳＩ−ＲＳに対して同じビームを用い、指示情報が異なるＣＳＩ−ＲＳリソースに対応するＣＳＩ−ＲＳに対して異なるビームを用いる。例えば、Ｎ＝４、且つＣＳＩ−ＲＳリソース０とＣＳＩ−ＲＳリソース２に対応するビーム指示情報が０を示し、ＣＳＩ−ＲＳリソース１のビーム指示情報が１を示し、ＣＳＩ−ＲＳリソース３のビーム指示情報が２を示す場合、リソース０とリソース２に対応するＣＳＩ−ＲＳ伝送に同じビーム（ビーム１と表記される）を用い、リソース１に対応するＣＳＩ−ＲＳ伝送に別の異なるビーム（ビーム２と表記される）を用い、リソース３に対応するＣＳＩ−ＲＳ伝送にそれらと異なるビーム（ビーム３と表記される）を用いる。ここで同じビームで送信されたＣＳＩ−ＲＳはダウンリンク受信ビームの確定に用いられてもよく、異なるビームで送信されたＣＳＩ−ＲＳはダウンリンク送信ビームの確定に用いられてもよい。
【００９８】
実施例２において、ネットワーク側はＮ個のＳＲＳリソースを配置し、且つ各ＳＲＳリソースに１ビットのビーム指示情報をそれぞれ配置し、該ビーム指示情報が各ＳＲＳリソースのリソース配置情報と示される。端末装置は各ＳＲＳリソースのビーム指示情報に基づき、異なるＳＲＳに対して同じビームを用いるか否かを確定する。具体的には、指示情報が０であるＳＲＳリソースに対応するＳＲＳに対して同じビームを用い、指示情報が１であるＳＲＳリソースに対応するＳＲＳに対して異なるビームを用いる。例えば、Ｎ＝８、且つＳＲＳリソース｛０、１、２、３｝に対応するビーム指示情報が全て０を示し、ＳＲＳリソース｛４、５、６、７｝のビーム指示情報が全て１を示す場合、ＳＲＳリソース｛０、１、２、３｝に対応するＳＲＳ伝送に同じビーム（ビーム１と表記される）を用い、ＳＲＳリソース｛４、５、６、７｝に対応するＳＲＳ伝送に異なるビーム｛ビーム２、３、４、５｝を用いる。ここで同じビームで送信されたＳＲＳはアップリンク受信ビームの確定に用いられてもよく、異なるビームで送信されたＳＲＳはアップリンク送信ビームの確定に用いられてもよい。同様の方法はＰＲＡＣＨ伝送に適用することもできる。
【００９９】
実施例３において、ネットワーク側は予めＲＲＣシグナリングによりＮ個のＣＳＩ−ＲＳリソースを配置し、そしてダウンリンクＤＣＩにより、その中のＫ個のＣＳＩ−ＲＳリソースに基づいて非周期的なＣＳＩ−ＲＳ測定を行うように端末装置をトリガし、ここでＫがＮ以下の整数である。該ＤＣＩに１ビットのビーム指示情報が含まれ、指示情報が０を示す場合、トリガされたＫ個のＣＳＩ−ＲＳリソースに対応するＣＳＩ−ＲＳ伝送に対して同じビームを用い、指示情報が１を示す場合、トリガされたＫ個のＣＳＩ−ＲＳリソースに対応するＣＳＩ−ＲＳリソースに対して異なるビームを用いる。ここで同じビームで送信されたＣＳＩ−ＲＳはダウンリンク受信ビームの確定に用いられてもよく、異なるビームで送信されたＣＳＩ−ＲＳはダウンリンク送信ビームの確定に用いられてもよい。
【０１００】
実施例４において、ネットワーク側はダウンリンクＤＣＩにより、非周期的なＳＲＳ伝送を行うように端末装置をトリガし、端末装置をトリガするたびにＮ個のＳＲＳを繰り返して送信する必要がある。該Ｎ個のＳＲＳは同じ周波数領域リソース／シーケンスを用いることができ、異なる周波数領域リソース／シーケンスを用いることもできる。該ＤＣＩに１ビットのビーム指示情報が含まれ、指示情報が０を示す場合、トリガされたＮ個のＳＲＳ伝送に対して同じビームを用いることを示し、指示情報が１を示す場合、トリガされたＮ個のＳＲＳに対して異なるビームを用いることを示す。ここで同じビームで送信されたＳＲＳはアップリンク受信ビームの確定に用いられてもよく、異なるビームで送信されたＣＳＩ−ＲＳはアップリンク送信ビームの確定に用いられてもよい。
【０１０１】
実施例５において、ダウンリンク同期信号伝送では、ＰＳＳシーケンス又はＳＳＳシーケンス又はＰＢＣＨにより該ビーム指示情報を含むことができ、ここでＰＳＳを例とする。異なるＰＳＳシーケンスを用いてビーム指示情報を暗黙的に示すことができ、即ち異なる情報が異なるＰＳＳシーケンスに対応し、例えば情報０がＰＳＳシーケンス１に対応し、情報１がＰＳＳシーケンス２に対応する。この対応関係が予め定められてもよく、端末装置はＰＳＳシーケンスをブランド検出して各ＰＳＳシーケンスの情報を得て、さらに該情報に基づいて複数のＰＳＳシーケンスに対して同じビームを用いるか否かを確定する。具体的には、２つの方法を用いて確定することができる：情報０は対応するいくつかのＰＳＳシーケンスが同じビームを用いて伝送されることを示し、情報１は対応するいくつかのＰＳＳシーケンスが異なるビームを用いて伝送されることを示し、Ｎ個の異なるＰＳＳシーケンスを用いてＮ個の異なるビーム指示情報に対応し、ここでビーム指示情報が同じであるＰＳＳシーケンスに対して同じビームを用い、ビーム指示情報が異なるＰＳＳシーケンスに対して異なるビームを用いる。例えば、ビーム指示情報がＫである場合、Ｋ番目のビームを用いてＰＳＳシーケンスを伝送することを示す。
【０１０２】
以上に本発明の実施例による信号伝送方法を詳細に説明し、以下に図５〜図８を組み合わせ、本発明の実施例による信号を伝送するための装置を説明し、方法の実施例で説明される技術的特徴が以下の装置の実施例に適用する。
【０１０３】
図５は本発明の実施例による信号を伝送するための端末装置３００を示すブロック図である。図５に示すように、該端末装置３００は、
ネットワーク装置から送信されたビーム指示情報を受信するように構成され、該ビーム指示情報が、送信待ち又は受信待ちのＮ個の信号のためのビームが同じであるか否かを示すことに用いられ、Ｎが１より大きい整数である受信ユニット３１０と、
該ビーム指示情報に基づき、該ネットワーク装置と該Ｎ個の信号の伝送を行うように構成される伝送ユニット３２０とを備える。
【０１０４】
したがって、本発明の実施例による信号を伝送するための端末装置３００では、ビーム指示情報に基づいて複数の信号が同じビームを用いて伝送されるか否かを確定することにより、端末装置とネットワーク装置は各自で信号を送信又は受信するために用いる最適なビームを確定することができ、それによって後続の信号検出の性能が向上される。
【０１０５】
選択可能に、本発明の実施例では、該ビーム指示情報は該ネットワーク装置が異なるビームを用いて端末装置へ該Ｎ個の信号を送信することを示すことに用いられ、該伝送ユニット３２０は、具体的に、
該ビーム指示情報に基づき、該Ｎ個の信号を受信するように構成される。
【０１０６】
該端末装置３００はさらに、
該ネットワーク装置へ第一の指示情報を送信するように構成され、該第一の指示情報が該Ｎ個の信号のうちのＫ個の信号を示すことに用いられ、１≦Ｋ≦Ｎ、Ｋが整数である送信ユニット３３０を備える。
【０１０７】
選択可能に、本発明の実施例では、該ビーム指示情報は端末装置が異なるビームを用いて該ネットワーク装置へ該Ｎ個の信号を送信することを示すことに用いられ、該伝送ユニット３２０は、具体的に、
該ビーム指示情報に基づき、異なるビームを用いて該Ｎ個の信号を送信するように構成される。
【０１０８】
該受信ユニット３１０はさらに、
該ネットワーク装置から送信された第二の指示情報を受信するように構成され、該第二の指示情報が該Ｎ個の信号のうちのＬ個の信号を示すことに用いられ、１≦Ｌ≦Ｎ、Ｌが整数である。
【０１０９】
さらに、本発明の実施例では、該端末装置はさらに、
前記第二の指示情報に基づき、後続の信号の送信のためのビームを確定するように構成される確定ユニットを備える。
【０１１０】
選択可能に、本発明の実施例では、該ビーム指示情報は該ネットワーク装置が同じビームを用いて端末装置へ該Ｎ個の信号を送信することを示すことに用いられ、該伝送ユニット３２０は、具体的に、
該ビーム指示情報に基づき、異なるビームを用いて該Ｎ個の信号を受信するように構成される。
【０１１１】
該確定ユニット３４０はさらに該Ｎ個の信号の受信のためのビームから、後続の信号の受信のためのビームを確定するように構成される。
【０１１２】
選択可能に、本発明の実施例では、該ビーム指示情報は端末装置が同じビームを用いて該ネットワーク装置へ該Ｎ個の信号を送信することを示すことに用いられ、該伝送ユニット３２０は、具体的に、
該ビーム指示情報に基づき、同じビームを用いて該Ｎ個の信号を送信するように構成される。
【０１１３】
選択可能に、本発明の実施例では、前記Ｎ個の信号は異なる伝送リソースを用いて配置された同一の基準信号又は同一のチャネルである。
【０１１４】
選択可能に、本発明の実施例では、前記Ｎ個の信号は同一のＭＡＣシグナリングでアクティブ化又は非アクティブ化された信号であり、又は前記Ｎ個の信号は同一のＤＣＩシグナリングによってトリガされた基準信号、又は同一のＤＣＩシグナリングでスケジューリングされたチャネルである。
【０１１５】
選択可能に、本発明の実施例では、前記ビーム指示情報はダウンリンク無線リソース制御（ＲＲＣ）シグナリング、ダウンリンクメディアアクセス制御（ＭＡＣ）シグナリングとダウンリンク制御情報（ＤＣＩ）シグナリング、ダウンリンク同期信号、ダウンリンクランダムアクセス信号とダウンリンクパイロット信号のうちの少なくとも一つに含まれる。
【０１１６】
選択可能に、本発明の実施例では、前記ＭＡＣシグナリングは前記Ｎ個の信号をアクティブ化又は非アクティブ化することに用いられ、及び／又は前記Ｎ個の信号が基準信号である場合、前記ＤＣＩシグナリングは前記Ｎ個の信号をトリガすることに用いられ、前記Ｎ個の信号がチャネルである場合、前記ＤＣＩシグナリングは前記Ｎ個の信号をスケジューリングすることに用いられる。
【０１１７】
選択可能に、本発明の実施例では、該ＲＲＣシグナリングはさらに該Ｎ個の信号に対応する伝送リソース配置情報を搬送することに用いられ、該伝送ユニット３２０は具体的に、
該ビーム指示情報と該伝送リソース配置情報に基づき、該ネットワーク装置と該Ｎ個の信号の伝送を行うように構成される。
【０１１８】
選択可能に、本発明の実施例では、該ビーム指示情報が該Ｎ個の信号のそれぞれに一対一で対応するビーム情報を含み、前記ビーム指示情報が以下の少なくとも一つにより、前記Ｎ個の信号のためのビームが同じであるかどうかを示す：該Ｎ個の信号のうちの第一の信号と第二の信号のビーム情報に示される内容が同じである場合、該第一の信号及び該第二の信号の伝送のためのビームが同じであること、該Ｎ個の信号のうちの第三の信号と第四の信号のビーム情報に示される内容が異なる場合、該第三の信号と該第四の信号の伝送のためのビームが異なること、又は該Ｎ個の信号のうちの第五の信号と第六の信号のビーム情報がいずれも予め設定された第一の値である場合、該第五の信号と該第六の信号の伝送のためのビームが同じであること、該Ｎ個の信号のうちの第七の信号と第八の信号のビーム情報がいずれも予め設定された第二の値である場合、該第七の信号と該第八の信号の伝送のためのビームが異なり、該第一の値と該第二の値が異なること、該Ｎ個の信号のうちの第九の信号のビーム情報に示される内容が該Ｎ個の信号のうちの第十の信号のインデックスを含む場合、該第九の信号と該第十の信号の伝送のためのビームが同じであること、該Ｎ個の信号のうちの第十一の信号のビーム情報に示される内容が該Ｎ個の信号のうちの第十二の信号のインデックスを含む場合、該十一の信号及び該第十二の信号の伝送のためのビームが異なること。
【０１１９】
選択可能に、本発明の実施例では、該Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、同期信号、物理ブロードキャストチャネル（ＰＢＣＨ）、復調基準信号（ＤＭＲＳ）とビーム専用基準信号（ＢＴＳ）のうちの少なくとも一つである。
【０１２０】
理解すべきものとして、本発明の実施例による信号を伝送するための端末装置３００は本発明の実施例における端末装置に対応してもよく、且つ端末装置３００の各ユニットの上記と他の操作及び／又は機能はそれぞれ図３における方法の対応するプロセスを実現するためのものであり、簡潔するために、ここでは説明を省略する。
【０１２１】
図６は本発明の実施例による信号を伝送するためのネットワーク装置４００を示すブロック図である。図６に示すように、該ネットワーク装置４００は、
端末装置へビーム指示情報を送信するように構成され、該ビーム指示情報が送信待ち又は受信待ちのＮ個の信号のためのビームが同じであるか否かを示すことに用いられ、Ｎが１より大きい整数である送信ユニット４１０と、
該端末装置と該Ｎ個の信号の伝送を行うように構成される伝送ユニット４２０とを備える。
【０１２２】
したがって、本発明の実施例の信号を伝送するためのネットワーク装置では、端末装置へ複数の信号が同じビームを用いて伝送されるか否かを確定するためのビーム指示情報を送信することにより、端末装置とネットワーク装置は各自で信号を送信又は受信するために用いる最適なビームを確定することができ、それによって後続の信号検出の性能が向上される。
【０１２３】
選択可能に、本発明の実施例では、該ビーム指示情報はネットワーク装置が異なるビームを用いて該端末装置へ該Ｎ個の信号を送信することを示すことに用いられる。
【０１２４】
該伝送ユニット４２０は具体的に、
異なるビームを用いて該Ｎ個の信号を送信するように構成される。
【０１２５】
該ネットワーク装置４００はさらに、
該端末装置から送信された第一の指示情報を受信するように構成され、該第一の指示情報が該Ｎ個の信号のうちのＫ個の信号を示すことに用いられ、１≦Ｋ≦Ｎ、Ｋが整数である受信ユニット４３０を備える。
【０１２６】
さらに、該ネットワーク装置４００はさらに、
前記第一の指示情報に基づき、後続の信号の送信のためのビームを確定するように構成される確定ユニット４４０を備える。
【０１２７】
選択可能に、本発明の実施例では、該ビーム指示情報は該端末装置が異なるビームを用いてネットワーク装置へ該Ｎ個の信号を送信することを示すことに用いられ、該伝送ユニット４２０は具体的に、
同じビームを用いて該Ｎ個の信号を受信するように構成される。
【０１２８】
該送信ユニット４１０はさらに、
該端末装置へ第二の指示情報を送信するように構成され、該第二の指示情報が該Ｎ個の信号のうちのＬ個の信号を示すことに用いられ、１≦Ｌ≦Ｎ、Ｌが整数である。
【０１２９】
選択可能に、本発明の実施例では、該ビーム指示情報はネットワーク装置が同じビームを用いて該端末装置へ該Ｎ個の信号を送信することを示すことに用いられる。
【０１３０】
該伝送ユニット４２０は具体的に、
同じビームを用いて該Ｎ個の信号を送信するように構成される。
【０１３１】
選択可能に、本発明の実施例では、該ビーム指示情報は該端末装置が同じビームを用いてネットワーク装置へ該Ｎ個の信号を送信することを示すことに用いられる。
【０１３２】
該伝送ユニット４２０は具体的に、
異なるビームを用いて該Ｎ個の信号を受信するように構成される。
【０１３３】
該確定ユニット４４０はさらに該Ｎ個の信号の受信のためのビームから、後続の信号の受信のためのビームを確定するように構成される。
【０１３４】
選択可能に、本発明の実施例では、前記Ｎ個の信号は異なる伝送リソースを用いて配置された同一の基準信号又は同一のチャネルである。
【０１３５】
選択可能に、本発明の実施例では、前記Ｎ個の信号は同一のＭＡＣシグナリングでアクティブ化又は非アクティブ化された信号であり、又は前記Ｎ個の信号は同一のＤＣＩシグナリングによってトリガされた基準信号、又は同一のＤＣＩシグナリングでスケジューリングされたチャネルである。
【０１３６】
選択可能に、本発明の実施例では、該ビーム指示情報は、無線リソース制御（ＲＲＣ）シグナリング、メディアアクセス制御（ＭＡＣ）シグナリング、ダウンリンク制御情報（ＤＣＩ）シグナリング、ダウンリンク同期信号、ダウンリンクランダムアクセス信号とダウンリンクパイロット信号のうちの少なくとも一つに含まれる。
【０１３７】
選択可能に、本発明の実施例では、前記ＭＡＣシグナリングは前記Ｎ個の信号をアクティブ化又は非アクティブ化することに用いられ、及び／又は前記Ｎ個の信号が基準信号である場合、前記ＤＣＩシグナリングは前記Ｎ個の信号をトリガすることに用いられ、前記Ｎ個の信号がチャネルである場合、前記ＤＣＩシグナリングは前記Ｎ個の信号をスケジューリングすることに用いられる。
【０１３８】
選択可能に、本発明の実施例では、前記ＲＲＣシグナリングはさらに前記Ｎ個の信号に対応する伝送リソース配置情報を搬送することに用いられ、前記端末装置と前記Ｎ個の信号の伝送を行うことは、前記伝送リソース配置情報に基づき、前記端末装置と前記Ｎ個の信号の伝送を行うことを含む。
【０１３９】
選択可能に、本発明の実施例では、該ビーム指示情報が該Ｎ個の信号のそれぞれに一対一で対応するビーム情報であり、前記ビーム指示情報が以下の少なくとも一つにより、前記Ｎ個の信号のためのビームが同じであるかどうかを示す：該Ｎ個の信号のうちの第一の信号と第二の信号のビーム情報に示される内容が同じである場合、該第一の信号及び該第二の信号の伝送のためのビームが同じであること、該Ｎ個の信号のうちの第三の信号と第四の信号のビーム情報に示される内容が異なる場合、該第三の信号と該第四の信号の伝送のためのビームが異なること、又は該Ｎ個の信号のうちの第五の信号と第六の信号のビーム情報がいずれも予め設定された第一の値である場合、該第五の信号と該第六の信号の伝送のためのビームが同じであること、該Ｎ個の信号のうちの第七の信号と第八の信号のビーム情報がいずれも予め設定された第二の値である場合、該第七の信号と該第八の信号の伝送のためのビームが異なり、該第一の値と該第二の値が異なること、該Ｎ個の信号のうちの第九の信号のビーム情報に示される内容が該Ｎ個の信号のうちの第十の信号のインデックスを含む場合、該第九の信号と該第十の信号の伝送のためのビームが同じであること、該Ｎ個の信号のうちの第十一の信号のビーム情報に示される内容が該Ｎ個の信号のうちの第十二の信号のインデックスを含む場合、該十一の信号及び該第十二の信号の伝送のためのビームが異なること。
【０１４０】
選択可能に、本発明の実施例では、該Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、ダウンリンク同期信号、物理ブロードキャストチャネル（ＰＢＣＨ）、復調基準信号（ＤＭＲＳ）とビーム専用基準信号（ＢＴＳ）のうちの少なくとも一つである。
【０１４１】
理解すべきものとして、本発明の実施例による信号を伝送するためのネットワーク装置４００は本発明の実施例におけるネットワーク装置に対応してもよく、且つネットワーク装置４００の各ユニットの上記と他の操作及び／又は機能はそれぞれ図４における方法の対応するプロセスを実現するためのものであり、簡潔するために、ここでは説明を省略する。
【０１４２】
図７に示すように、本発明の実施例はさらに信号を伝送するための端末装置５００を提供し、該端末装置５００はプロセッサ５１０、メモリ５２０と送受信機５４０を備え、ここで、該プロセッサ５１０、該メモリ５２０と該送受信機５４０が内部接続パスを介して相互に通信し、制御及び／又はデータ信号を伝送し、該メモリ５２０が命令を記憶するように構成され、該プロセッサ５１０が該メモリ５２０に記憶された命令を実行し、信号を送信するように該送受信機５４０を制御するように構成され、ここで、該プロセッサ５１０はネットワーク装置から送信されたビーム指示情報を受信し、該ビーム指示情報が送信待ち又は受信待ちのＮ個の信号のためのビームが同じであるか否かを示すことに用いられ、Ｎが１より大きい整数であり、該ビーム指示情報に基づき、該ネットワーク装置と該Ｎ個の信号の伝送を行うように構成される。
【０１４３】
したがって、本発明の実施例による信号を伝送するための端末装置では、ビーム指示情報に基づいて複数の信号が同じビームを用いて伝送されるか否かを確定することにより、端末装置とネットワーク装置は各自で信号を送信又は受信するために用いる最適なビームを確定することができ、それによって後続の信号検出の性能が向上される。
【０１４４】
理解すべきものとして、本発明の実施例では、該プロセッサ５１０は中央処理ユニット（Ｃｅｎｔｒａｌ  Ｐｒｏｃｅｓｓｉｎｇ  Ｕｎｉｔ：「ＣＰＵ」と略称）であってもよく、該プロセッサ５１０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１４５】
該メモリ５２０は読み取り専用メモリとランダムアクセスメモリを含み、そしてプロセッサ５１０へ命令とデータを提供することができる。メモリ５２０の一部は不揮発性ランダムアクセスメモリを含むことができる。例えば、メモリ５２０は装置タイプの情報を記憶することもできる。
【０１４６】
実施プロセスでは、上記方法の各ステップは、プロセッサ５１０内のハードウェアの集積論理回路又はソフトウェアの形の命令によって完了されてもよい。本発明の実施例と組み合わせて開示された方法のステップはハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５２０に位置し、プロセッサ５１０はメモリ５２０における情報を読み取り、そのハードウェアと組み合わせて上記方法のステップを完了する。繰り返しを回避するために、ここで詳細な説明を省略する。
【０１４７】
選択可能に、本発明の実施例では、該ビーム指示情報は該ネットワーク装置が異なるビームを用いて端末装置へ該Ｎ個の信号を送信することを示すことに用いられ、該プロセッサ５１０は具体的に該ビーム指示情報に基づき、同じビームを用いて該Ｎ個の信号を受信するように構成され、該プロセッサ５１０はさらに該ネットワーク装置へ第一の指示情報を送信するように構成され、該第一の指示情報が該Ｎ個の信号のうちのＫ個の信号を示すことに用いられ、１≦Ｋ≦Ｎであり、Ｋが整数である。
【０１４８】
選択可能に、本発明の実施例では、該ビーム指示情報は端末装置が異なるビームを用いて該ネットワーク装置へ該Ｎ個の信号を送信することを示すことに用いられ、該プロセッサ５１０は具体的に該ビーム指示情報に基づき、異なるビームを用いて該Ｎ個の信号を送信するように構成され、該プロセッサ５１０はさらに該ネットワーク装置から送信された第二の指示情報を受信するように構成され、該第二の指示情報が該Ｎ個の信号のうちのＬ個の信号を示すことに用いられ、１≦Ｌ≦Ｎであり、Ｌが整数である。
【０１４９】
さらに、本発明の実施例では、該プロセッサ５１０はさらに前記第二の指示情報に基づき、後続の信号の送信のためのビームを確定するように構成される。
【０１５０】
選択可能に、本発明の実施例では、該ビーム指示情報は該ネットワーク装置が同じビームを用いて端末装置へ該Ｎ個の信号を送信することを示すことに用いられ、該プロセッサ５１０は具体的に該ビーム指示情報に基づき、異なるビームを用いて該Ｎ個の信号を受信するように構成され、該プロセッサ５１０はさらに該Ｎ個の信号を受信するためのビームから、後続の信号の受信のためのビームを確定するように構成される。
【０１５１】
選択可能に、本発明の実施例では、該ビーム指示情報は端末装置が同じビームを用いて該ネットワーク装置へ該Ｎ個の信号を送信することを示すことに用いられ、該プロセッサ５１０は具体的に該ビーム指示情報に基づき、同じビームを用いて該Ｎ個の信号を送信するように構成される。
【０１５２】
選択可能に、本発明の実施例では、該Ｎ個の信号は異なる伝送リソースを用いて配置された同一の基準信号又は同一のチャネルである。
【０１５３】
選択可能に、本発明の実施例では、該Ｎ個の信号は同一のＭＡＣシグナリングでアクティブ化又は非アクティブ化された信号であり、又は該Ｎ個の信号は同一のＤＣＩシグナリングによってトリガされた基準信号、又は同一のＤＣＩシグナリングでスケジューリングされたチャネルである。
【０１５４】
選択可能に、本発明の実施例では、該ビーム指示情報はダウンリンク無線リソース制御（ＲＲＣ）シグナリング、ダウンリンクメディアアクセス制御（ＭＡＣ）シグナリングとダウンリンク制御情報（ＤＣＩ）シグナリング、ダウンリンク同期信号、ダウンリンクランダムアクセス信号とダウンリンクパイロット信号のうちの少なくとも一つに含まれる。
【０１５５】
選択可能に、本発明の実施例では、該ＭＡＣシグナリングは該Ｎ個の信号をアクティブ化又は非アクティブ化することに用いられ、及び／又は該Ｎ個の信号が基準信号であり、該ＤＣＩシグナリングは該Ｎ個の信号をトリガすることに用いられ、該Ｎ個の信号がチャネルであり、該ＤＣＩシグナリングは該Ｎ個の信号をスケジューリングすることに用いられる。
【０１５６】
選択可能に、本発明の実施例では、該ＲＲＣシグナリングはさらに該Ｎ個の信号に対応する伝送リソース配置情報を搬送することに用いられ、該ビーム指示情報に基づき、該ネットワーク装置と該Ｎ個の信号の伝送を行うことは、該ビーム指示情報と該伝送リソース配置情報に基づき、該ネットワーク装置と該Ｎ個の信号の伝送を行うことを含む。
【０１５７】
選択可能に、本発明の実施例では、該ビーム指示情報が該Ｎ個の信号のそれぞれに一対一で対応するビーム情報を含み、前記ビーム指示情報が以下の少なくとも一つにより、前記Ｎ個の信号のためのビームが同じであるかどうかを示す：該Ｎ個の信号のうちの第一の信号と第二の信号のビーム情報に示される内容が同じである場合、該第一の信号及び該第二の信号の伝送のためのビームが同じであること、該Ｎ個の信号のうちの第三の信号と第四の信号のビーム情報に示される内容が異なる場合、該第三の信号と該第四の信号の伝送のためのビームが異なること、又は該Ｎ個の信号のうちの第五の信号と第六の信号のビーム情報がいずれも予め設定された第一の値である場合、該第五の信号と該第六の信号の伝送のためのビームが同じであること、該Ｎ個の信号のうちの第七の信号と第八の信号のビーム情報がいずれも予め設定された第二の値である場合、該第七の信号と該第八の信号の伝送のためのビームが異なり、該第一の値と該第二の値が異なること、又は該Ｎ個の信号のうちの第九の信号のビーム情報に示される内容が該Ｎ個の信号のうちの第十の信号のインデックスを含む場合、該第九の信号と該第十の信号の伝送のためのビームが同じであること、該Ｎ個の信号のうちの第十一の信号のビーム情報に示される内容が該Ｎ個の信号のうちの第十二の信号のインデックスを含む場合、該十一の信号及び該第十二の信号の伝送のためのビームが異なること。
【０１５８】
選択可能に、本発明の実施例では、該Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、同期信号、物理ブロードキャストチャネル（ＰＢＣＨ）、復調基準信号（ＤＭＲＳ）とビーム専用基準信号（ＢＴＳ）のうちの少なくとも一つである。
【０１５９】
理解すべきものとして、本発明の実施例による信号を伝送するための端末装置５００は本発明の実施例における端末装置及び端末装置３００に対応してもよく、そして本発明の実施例による方法における端末装置に対応してもよく、そして端末装置５００の各ユニットの上記と他の操作及び／又は機能はそれぞれ図３における方法の対応するプロセスを実現するためのものであり、簡潔するために、ここでは説明を省略する。
【０１６０】
図８に示すように、本発明の実施例はさらに信号を伝送するためのネットワーク装置６００を提供し、該ネットワーク装置６００はプロセッサ６１０、メモリ６２０と送受信機６４０を備え、ここで、該プロセッサ６１０、該メモリ６２０と該送受信機６４０が内部接続パスを介して相互に通信し、制御及び／又はデータ信号を伝送し、該メモリ６２０が命令を記憶するように構成され、該プロセッサ６５０が該メモリ６２０に記憶された命令を実行し、信号を送信するように該送受信機６４０を制御するように構成され、ここで、該プロセッサ６１０は端末装置へビーム指示情報を送信し、該ビーム指示情報が送信待ち又は受信待ちのＮ個の信号のためのビームが同じであるか否かを示すことに用いられ、Ｎが１より大きい整数であり、該端末装置と該Ｎ個の信号の伝送を行うように構成される。
【０１６１】
したがって、本発明の実施例の信号を伝送するためのネットワーク装置では、端末装置へ複数の信号が同じビームを用いて伝送されるか否かを確定するためのビーム指示情報を送信することにより、端末装置とネットワーク装置は各自で信号を送信又は受信するために用いる最適なビームを確定することができ、それによって後続の信号検出の性能が向上される。
【０１６２】
理解すべきものとして、本発明の実施例では、該プロセッサ６１０は中央処理ユニット（Ｃｅｎｔｒａｌ  Ｐｒｏｃｅｓｓｉｎｇ  Ｕｎｉｔ：「ＣＰＵ」と略称）であってもよく、該プロセッサ６１０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１６３】
該メモリ６２０は読み取り専用メモリとランダムアクセスメモリを含み、そしてプロセッサ６１０へ命令とデータを提供することができる。メモリ６２０の一部は不揮発性ランダムアクセスメモリを含むことができる。例えば、メモリ６２０は装置タイプの情報を記憶することもできる。
【０１６４】
実施プロセスでは、上記方法の各ステップは、プロセッサ６１０内のハードウェアの集積論理回路又はソフトウェアの形の命令によって完了されてもよい。本発明の実施例と組み合わせて開示された方法のステップはハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６２０に位置し、プロセッサ６１０はメモリ６２０における情報を読み取り、そのハードウェアと組み合わせて上記方法のステップを完了する。繰り返しを回避するために、ここで詳細な説明を省略する。
【０１６５】
選択可能に、本発明の実施例では、該ビーム指示情報はネットワーク装置が異なるビームを用いて該端末装置へ該Ｎ個の信号を送信することを示すことに用いられ、該プロセッサ６１０は具体的に異なるビームを用いて該Ｎ個の信号を送信するように構成され、該プロセッサ６１０はさらに該端末装置から送信された第一の指示情報を受信するように構成され、該第一の指示情報が該Ｎ個の信号のうちのＫ個の信号を示すことに用いられ、１≦Ｋ≦Ｎであり、Ｋが整数である。
【０１６６】
さらに、本発明の実施例では、該プロセッサ６１０はさらに前記第一の指示情報に基づき、後続の信号の送信のためのビームを確定するように構成される。
【０１６７】
選択可能に、本発明の実施例では、該ビーム指示情報は該端末装置が異なるビームを用いてネットワーク装置へ該Ｎ個の信号を送信することを示すことに用いられ、該プロセッサ６１０は具体的に同じビームを用いて該Ｎ個の信号を受信するように構成され、該プロセッサ６１０はさらに該端末装置へ第二の指示情報を送信するように構成され、該第二の指示情報が該Ｎ個の信号のうちのＬ個の信号を示すことに用いられ、１≦Ｌ≦Ｎであり、Ｌが整数である。
【０１６８】
選択可能に、本発明の実施例では、該ビーム指示情報はネットワーク装置が同じビームを用いて該端末装置へ該Ｎ個の信号を送信することを示すことに用いられ、該プロセッサ６１０は具体的に同じビームを用いて該Ｎ個の信号を送信するように構成される。
【０１６９】
選択可能に、本発明の実施例では、該ビーム指示情報は該端末装置が同じビームを用いてネットワーク装置へ該Ｎ個の信号を送信することを示すことに用いられ、該プロセッサ６１０は具体的に異なるビームを用いて該Ｎ個の信号を受信するように構成され、該プロセッサ６１０はさらに該Ｎ個の信号を受信するためのビームから、後続の信号の受信のためのビームを確定するように構成される。
【０１７０】
選択可能に、本発明の実施例では、前記Ｎ個の信号は異なる伝送リソースを用いて配置された同一の基準信号又は同一のチャネルである。
【０１７１】
選択可能に、本発明の実施例では、前記Ｎ個の信号は同一のＭＡＣシグナリングでアクティブ化又は非アクティブ化された信号であり、又は前記Ｎ個の信号は同一のＤＣＩシグナリングによってトリガされた基準信号、又は同一のＤＣＩシグナリングでスケジューリングされたチャネルである。
【０１７２】
選択可能に、本発明の実施例では、前記ビーム指示情報は無線リソース制御（ＲＲＣ）シグナリング、メディアアクセス制御（ＭＡＣ）シグナリング、ダウンリンク制御情報（ＤＣＩ）シグナリング、ダウンリンク同期信号、ダウンリンクランダムアクセス信号とダウンリンクパイロット信号のうちの少なくとも一つに含まれる。
【０１７３】
選択可能に、本発明の実施例では、前記ＭＡＣシグナリングは前記Ｎ個の信号をアクティブ化又は非アクティブ化することに用いられ、及び／又は前記Ｎ個の信号が基準信号であり、前記ＤＣＩシグナリングは前記Ｎ個の信号をトリガすることに用いられ、前記Ｎ個の信号がチャネルである場合、前記ＤＣＩシグナリングは前記Ｎ個の信号をスケジューリングすることに用いられる。
【０１７４】
選択可能に、本発明の実施例では、該ＲＲＣシグナリングはさらに該Ｎ個の信号に対応する伝送リソース配置情報を搬送することに用いられ、該端末装置と該Ｎ個の信号の伝送を行うことは、該伝送リソース配置情報に基づき、該端末装置と該Ｎ個の信号の伝送を行うことを含む。
【０１７５】
選択可能に、本発明の実施例では、該ビーム指示情報が該Ｎ個の信号のそれぞれに一対一で対応するビーム情報であり、前記ビーム指示情報が以下の少なくとも一つにより、前記Ｎ個の信号のためのビームが同じであるかどうかを示す：該Ｎ個の信号のうちの第一の信号と第二の信号のビーム情報に示される内容が同じである場合、該第一の信号及び該第二の信号の伝送のためのビームが同じであること、該Ｎ個の信号のうちの第三の信号と第四の信号のビーム情報に示される内容が異なる場合、該第三の信号と該第四の信号の伝送のためのビームが異なること、該Ｎ個の信号のうちの第五の信号と第六の信号のビーム情報がいずれも予め設定された第一の値である場合、該第五の信号と該第六の信号の伝送のためのビームが同じであること、該Ｎ個の信号のうちの第七の信号と第八の信号のビーム情報がいずれも予め設定された第二の値である場合、該第七の信号と該第八の信号の伝送のためのビームが異なり、該第一の値と該第二の値が異なること、又は該Ｎ個の信号のうちの第九の信号のビーム情報に示される内容が該Ｎ個の信号のうちの第十の信号のインデックスを含む場合、該第九の信号と該第十の信号の伝送のためのビームが同じであること、該Ｎ個の信号のうちの第十一の信号のビーム情報に示される内容が該Ｎ個の信号のうちの第十二の信号のインデックスを含む場合、該十一の信号及び該第十二の信号の伝送のためのビームが異なること。
【０１７６】
選択可能に、本発明の実施例では、該Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、ダウンリンク同期信号、物理ブロードキャストチャネル（ＰＢＣＨ）、復調基準信号（ＤＭＲＳ）とビーム専用基準信号（ＢＴＳ）のうちの少なくとも一つである。
【０１７７】
理解すべきものとして、本発明の実施例による信号を伝送するためのネットワーク装置６００は本発明の実施例におけるネットワーク装置及びネットワーク装置４００に対応してもよく、そして本発明の実施例による方法を実行するためのネットワーク装置に対応してもよく、そしてネットワーク装置６００の各ユニットの上記と他の操作及び／又は機能はそれぞれ図４における方法の対応するプロセスを実現するためのものであり、簡潔するために、ここでは説明を省略する。
【０１７８】
理解すべきものとして、本発明の実施例によるネットワーク装置の各ユニットの操作及び／又は機能がそれぞれ方法側におけるネットワーク装置に対応し、そして端末装置とのインタラクション及び関連特性、機能などが端末装置側の関連特性、機能に対応し、簡潔にするために、説明を省略する。
【０１７９】
理解すべきものとして、本発明の実施例では、「Ａに対応するＢ」はＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０１８０】
当業者であれば、本明細書で開示された実施例と組み合わせて説明された各例のユニット及びアルゴリズムステップは、電子ハードウェア、コンピュータソフトウェア又は両者の組み合わせで実現されてもよいと理解でき、ハードウェアとソフトウェアの互換性を明確に説明するために、以上の説明において各例の構成及びステップを機能に従って一般的に説明した。これらの機能がハードウエア又はソフトウエアで実行されるかは、技術的解決策の特徴応用と設計制約条件に依存する。当業者は各特定の応用に対して異なる方法を用いて記述される機能を実現することが可能だが、但しこのような実現は本発明の実施例の範囲を超えると見なしてはならない。
【０１８１】
当業者は、便利および簡潔に説明するために、上記のシステム、装置及びユニットの具体的な動作プロセスについて、前記方法の実施例における対応するプロセスを参照できるため、ここでは説明を省略することを明確に理解することができる。
【０１８２】
本出願が提供する、いくつかの実施例では、開示されたシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分モードもあり得て、例えば複数のユニット又は構成要素は組み合わせてもよい又は別のシステムに統合されてもよい。また、本出願の各実施例における各機能ユニットは一つの処理ユニットに統合されてもよく、個々のユニットは単独で物理的に存在してもよく、二つまたは二つ以上のユニットは一つのユニットに統合されてもよい。上記の統合されたユニットはハードウェアの形態で実現されてもよく、ソフトウェア機能ブロックの形態で実現されてもよい。
【０１８３】
該統合されたユニットはソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の全て又は部分がソフトウェア製品の形で実現されてもよく、該コンピュータソフトウェア製品がコンピュータ装置（パーソナルコンピュータ、サーバ、又はネットワークデバイス等であってもよい）に本発明の様々な実施例に記載された該方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８４】
以上の説明は、本出願の具体的の実施形態だけであり、本出願の保護範囲はそれに限定されなく、当業者は本出願の開示された技術範囲内で、様々な同等の修正又は入れ替わりを容易に想到し得る。
【図１】
2020504985.tif 000003
【図２】
2020504985.tif 000004
【図３】
2020504985.tif 000005
【図４】
2020504985.tif 000006
【図５】
2020504985.tif 000007
【図６】
2020504985.tif 000008
【図７】
2020504985.tif 000009
【図８】
2020504985.tif 000010
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
信号伝送方法であって、
ネットワーク装置から送信されたビーム指示情報を受信し、前記ビーム指示情報が、送信待ち又は受信待ちのＮ個の信号のためのビームが同じであるか否かを示すことに用いられ、Ｎが１より大きい整数であることと、
前記ビーム指示情報に基づき、前記ネットワーク装置と前記Ｎ個の信号の伝送を行うこととを含む、前記信号伝送方法。
【請求項２】
前記ビーム指示情報は前記ネットワーク装置が異なるビームを用いて端末装置へ前記Ｎ個の信号を送信することを示すことに用いられ、前記ビーム指示情報に基づき、前記ネットワーク装置と前記Ｎ個の信号の伝送を行うことは、
前記ビーム指示情報に基づき、前記Ｎ個の信号を受信することを含み、
前記方法はさらに、
前記ネットワーク装置へ第一の指示情報を送信することを含み、前記第一の指示情報が前記Ｎ個の信号のうちのＫ個の信号を示すことに用いられ、１≦Ｋ≦Ｎ、Ｋが整数であることを含むことを特徴とする
請求項１に記載の方法。
【請求項３】
前記ビーム指示情報は端末装置が異なるビームを用いて前記ネットワーク装置へ前記Ｎ個の信号を送信することを示すことに用いられ、前記ビーム指示情報に基づき、前記ネットワーク装置と前記Ｎ個の信号の伝送を行うことは、
前記ビーム指示情報に基づき、前記Ｎ個の信号を送信することを含み、
前記方法はさらに、
前記ネットワーク装置から送信された第二の指示情報を受信し、前記第二の指示情報が前記Ｎ個の信号のうちのＬ個の信号を示すことに用いられ、１≦Ｌ≦Ｎ、Ｌが整数であることを含むことを特徴とする
請求項１に記載の方法。
【請求項４】
前記ビーム指示情報に基づき、前記Ｎ個の信号を送信することは、
前記ビーム指示情報に基づき、異なるビームを用いて前記Ｎ個の信号を送信することを含み、
前記方法はさらに、
前記第二の指示情報に基づき、後続の信号の送信のためのビームを確定することを含むことを特徴とする
請求項３に記載の方法。
【請求項５】
前記ビーム指示情報は端末装置が同じビームを用いて前記ネットワーク装置へ前記Ｎ個の信号を送信することを示すことに用いられ、前記ビーム指示情報に基づき、前記ネットワーク装置と前記Ｎ個の信号の伝送を行うことは、
前記ビーム指示情報に基づき、同じビームを用いて前記Ｎ個の信号を送信することを含むことを特徴とする
請求項１に記載の方法。
【請求項６】
前記Ｎ個の信号は異なる伝送リソースを用いて配置された同一の基準信号又は同一のチャネルであることを特徴とする
請求項１−５のいずれか一項に記載の方法。
【請求項７】
前記Ｎ個の信号は同一のメディアアクセス制御（ＭＡＣ）シグナリングでアクティブ化又は非アクティブ化された信号であり、又は前記Ｎ個の信号は同一のダウンリンク制御情報（ＤＣＩ）シグナリングによってトリガされた基準信号、又は同一のＤＣＩシグナリングでスケジューリングされたチャネルであることを特徴とする
請求項１−６のいずれか一項に記載の方法。
【請求項８】
前記ビーム指示情報は、無線リソース制御（ＲＲＣ）シグナリング、ダウンリンクＭＡＣシグナリング、ＤＣＩシグナリング、ダウンリンク同期信号、ダウンリンクランダムアクセス信号とダウンリンクパイロット信号のうちの少なくとも一つに含まれることを特徴とする
請求項１−７のいずれか一項に記載の方法。
【請求項９】
前記ＲＲＣシグナリングはさらに前記Ｎ個の信号に対応する伝送リソース配置情報を搬送することに用いられ、前記ビーム指示情報に基づき、前記ネットワーク装置と前記Ｎ個の信号の伝送を行うことは、
前記ビーム指示情報と前記伝送リソース配置情報に基づき、前記ネットワーク装置と前記Ｎ個の信号の伝送を行うこととを含むことを特徴とする
請求項８に記載の方法。
【請求項１０】
前記ビーム指示情報は前記Ｎ個の信号のそれぞれに一対一で対応するビーム情報を含み、
前記Ｎ個の信号のうちの第一の信号と第二の信号のビーム情報に示される内容が同じである場合、前記第一の信号及び前記第二の信号の伝送のためのビームが同じであること、
前記Ｎ個の信号のうちの第三の信号と第四の信号のビーム情報に示される内容が異なる場合、前記第三の信号と前記第四の信号の伝送のためのビームが異なること、
前記Ｎ個の信号のうちの第五の信号と第六の信号のビーム情報がいずれも予め設定された第一の値である場合、前記第五の信号と前記第六の信号の伝送のためのビームが同じであること、
前記Ｎ個の信号のうちの第七の信号と第八の信号のビーム情報がいずれも予め設定された第二の値である場合、前記第七の信号と前記第八の信号の伝送のためのビームが異なり、前記第一の値と前記第二の値が異なること、
前記Ｎ個の信号のうちの第九の信号のビーム情報に示される内容が前記Ｎ個の信号のうちの第十の信号のインデックスを含む場合、前記第九の信号と前記第十の信号の伝送のためのビームが同じであること、
前記Ｎ個の信号のうちの第十一の信号のビーム情報に示される内容が前記Ｎ個の信号のうちの第十二の信号のインデックスを含む場合、前記十一の信号及び前記第十二の信号の伝送のためのビームが異なること、
のうちの少なくとも一つにより、前記ビーム指示情報が前記Ｎ個の信号のためのビームが同じであるかどうかを示すことを特徴とする
請求項１−９のいずれか一項に記載の方法。
【請求項１１】
前記Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、同期信号、物理ブロードキャストチャネル（ＰＢＣＨ）、復調基準信号（ＤＭＲＳ）とビーム専用基準信号（ＢＴＳ）のうちの少なくとも一つであることを特徴とする
請求項１−１０のいずれか一項に記載の方法。
【請求項１２】
信号伝送方法であって、
端末装置へビーム指示情報を送信し、前記ビーム指示情報が、送信待ち又は受信待ちのＮ個の信号のためのビームが同じであるか否かを示すことに用いられ、Ｎが１より大きい整数であることと、
前記端末装置と前記Ｎ個の信号の伝送を行うこととを含む、前記信号伝送方法。
【請求項１３】
前記ビーム指示情報はネットワーク装置が異なるビームを用いて前記端末装置へ前記Ｎ個の信号を送信することを示すことに用いられ、
前記端末装置と前記Ｎ個の信号の伝送を行うことは、
異なるビームを用いて前記Ｎ個の信号を送信することを含み、
前記方法はさらに、
前記端末装置から送信された第一の指示情報を受信し、前記第一の指示情報が前記Ｎ個の信号のうちのＫ個の信号を示すことに用いられ、１≦Ｋ≦Ｎ、Ｋが整数であることと、
前記第一の指示情報に基づき、後続の信号の送信のためのビームを確定することと、を含むことを特徴とする
請求項１２に記載の方法。
【請求項１４】
信号を伝送するための端末装置であって、前記端末装置は、
ネットワーク装置から送信されたビーム指示情報を受信するように構成され、前記ビーム指示情報が、送信待ち又は受信待ちのＮ個の信号のためのビームが同じであるか否かを示すことに用いられ、Ｎが１より大きい整数である受信ユニットと、
前記ビーム指示情報に基づき、前記ネットワーク装置と前記Ｎ個の信号の伝送を行うように構成される伝送ユニットとを備える、前記信号を伝送するための端末装置。
【請求項１５】
前記ビーム指示情報は前記ネットワーク装置が異なるビームを用いて端末装置へ前記Ｎ個の信号を送信することを示すことに用いられ、前記伝送ユニットは具体的に、
前記ビーム指示情報に基づき、前記Ｎ個の信号を受信するように構成され、
前記端末装置はさらに、
前記ネットワーク装置へ第一の指示情報を送信するように構成され、前記第一の指示情報が前記Ｎ個の信号のうちのＫ個の信号を示すことに用いられ、１≦Ｋ≦Ｎ、Ｋが整数である送信ユニットを備えることを特徴とする
請求項１４に記載の端末装置。
【請求項１６】
前記ビーム指示情報は端末装置が同じビームを用いて前記ネットワーク装置へ前記Ｎ個の信号を送信することを示すことに用いられ、前記伝送ユニットは具体的に、
前記ビーム指示情報に基づき、同じビームを用いて前記Ｎ個の信号を送信するように構成されることを特徴とする
請求項１４に記載の端末装置。
【請求項１７】
前記Ｎ個の信号は異なる伝送リソースを用いて配置された同一の基準信号又は同一のチャネルであることを特徴とする
請求項１４−１６のいずれか一項に記載の端末装置。
【請求項１８】
前記Ｎ個の信号は同一のメディアアクセス制御（ＭＡＣ）シグナリングでアクティブ化又は非アクティブ化された信号であり、又は前記Ｎ個の信号は同一のダウンリンク制御情報（ＤＣＩ）シグナリングによってトリガされた基準信号、又は同一のＤＣＩシグナリングでスケジューリングされたチャネルであることを特徴とする
請求項１４−１７のいずれか一項に記載の端末装置。
【請求項１９】
前記ビーム指示情報は、無線リソース制御（ＲＲＣ）シグナリング、ダウンリンクＭＡＣシグナリングとＤＣＩシグナリング、ダウンリンク同期信号、ダウンリンクランダムアクセス信号及びダウンリンクパイロット信号のうちの少なくとも一つに含まれることを特徴とする
請求項１４−１８のいずれか一項に記載の端末装置。
【請求項２０】
前記ＲＲＣシグナリングはさらに前記Ｎ個の信号に対応する伝送リソース配置情報を搬送することに用いられ、前記伝送ユニットは具体的に、
前記ビーム指示情報と前記伝送リソース配置情報に基づき、前記ネットワーク装置と前記Ｎ個の信号の伝送を行うように構成されることを特徴とする
請求項１９に記載の端末装置。
【請求項２１】
前記ビーム指示情報は前記Ｎ個の信号のそれぞれに一対一で対応するビーム情報を含み、
前記Ｎ個の信号のうちの第一の信号と第二の信号のビーム情報に示される内容が同じである場合、前記第一の信号及び前記第二の信号の伝送のためのビームが同じであること、
前記Ｎ個の信号のうちの第三の信号と第四の信号のビーム情報に示される内容が異なる場合、前記第三の信号と前記第四の信号の伝送のためのビームが異なること、
前記Ｎ個の信号のうちの第五の信号と第六の信号のビーム情報がいずれも予め設定された第一の値である場合、前記第五の信号と前記第六の信号の伝送のためのビームが同じであること、
前記Ｎ個の信号のうちの第七の信号と第八の信号のビーム情報がいずれも予め設定された第二の値である場合、前記第七の信号と前記第八の信号の伝送のためのビームが異なり、前記第一の値と前記第二の値が異なること、
前記Ｎ個の信号のうちの第九の信号のビーム情報に示される内容が前記Ｎ個の信号のうちの第十の信号のインデックスを含む場合、前記第九の信号と前記第十の信号の伝送のためのビームが同じであること、
前記Ｎ個の信号のうちの第十一の信号のビーム情報に示される内容が前記Ｎ個の信号のうちの第十二の信号のインデックスを含む場合、前記十一の信号及び前記第十二の信号の伝送のためのビームが異なること、
のうちの少なくとも一つにより、前記ビーム指示情報が前記Ｎ個の信号のためのビームが同じであるかどうかを示すことを特徴とする
請求項１４−２０のいずれか一項に記載の端末装置。
【請求項２２】
前記Ｎ個の信号は、チャネル状態情報基準信号（ＣＳＩ−ＲＳ）、サウンディング基準信号（ＳＲＳ）、物理ランダムアクセスチャネル（ＰＲＡＣＨ）、同期信号、物理ブロードキャストチャネル（ＰＢＣＨ）、復調基準信号（ＤＭＲＳ）とビーム専用基準信号（ＢＴＳ）のうちの少なくとも一つであることを特徴とする
請求項１４−２１のいずれか一項に記載の端末装置。
【国際調査報告】
2020504985.tif 000011
2020504985.tif 000012
2020504985.tif 000013
2020504985.tif 000014